(57)【要約】      （修正有）【課題】遅延センシティブなデータが受信される場合に１つまたは複数のＵＥへのリソース割振りを先取りするための改善された技法を提供する。【解決手段】送信されるべき第１の関連データのために第１のユーザ機器（ＵＥ）へのいくつかの数のシンボルのリソース割振りが許可される。その後、データは、第１のデータよりも遅延センスティブである第２のＵＥについて受信される。第１のＵＥへのリソース割振りが先取りされ、リソースが第１のＵＥへのリソース割振りの可変長送信時間インターバル（ＴＴＩ）内で第２のデータのために第２のＵＥに割り振られる。ＵＥは、先取りされたリソース許可に関連付けられた新しいリソース許可を受信するために、他のＵＥへの送信中、先取りのためにモニタする。ＵＥが先取りのために送信をモニタするかどうかは、ＵＥのサービス品質（ＱｏＳ）に基づいて決定される。【選択図】なし【特許請求の範囲】
【請求項１】
基地局と通信状態にある第１のユーザ機器（ＵＥ）によるワイヤレス通信のための方法であって、
可変長ダウンリンク送信時間インターバール（ＴＴＩ）において１つまたは複数のシンボルのリソースを割り当てるダウンリンク許可を受信することと、
前記ダウンリンク許可によって割り当てられた前記リソースの一部が先取りされることとなることを示す制御信号のために、前記１つまたは複数のシンボルのうちの１つまたは複数をモニタすることと、
前記制御信号に少なくとも部分的に基づいて、前記ダウンリンク許可によって割り当てられた前記リソースの少なくとも前記一部をキャンセルするかどうかを決定することと
を備える、方法。
【請求項２】
前記決定することに基づいて、前記ダウンリンク許可によって割り当てられた前記リソースの少なくとも前記一部をキャンセルすることをさらに備える、
請求項１に記載の方法。
【請求項３】
前記決定することは、
前記制御信号が、前記可変長ダウンリンクＴＴＩの最後のシンボルから閾値数のシンボル内のシンボルにおいて受信されると決定することと、
前記可変長ダウンリンクＴＴＩの任意の残りのシンボルを受信し続けることで前記ダウンリンク許可によって割り当てられた前記リソースを維持することと
を備える、請求項１に記載の方法。
【請求項４】
前記制御信号は、第２のＵＥへのダウンリンク送信に対する第２のダウンリンク許可を備える、
請求項１に記載の方法。
【請求項５】
前記第２のＵＥへの前記ダウンリンク送信は、前記ダウンリンク許可によって前記第１のＵＥに割り当てられた前記リソースに関連付けられたダウンリンクデータよりも遅延センシティブである、
請求項４に記載の方法。
【請求項６】
前記制御信号は、後続のシンボルに対するアップリンク許可を備える、
請求項１に記載の方法。
【請求項７】
前記制御信号は、複数のＵＥによって復号される共通信号を備える、
請求項１に記載の方法。
【請求項８】
前記複数のＵＥは、無線リソース制御（ＲＲＣ）シグナリングを介して前記制御信号のためにモニタするように構成される、
請求項７に記載の方法。
【請求項９】
前記１つまたは複数のシンボルのうちの１つまたは複数を前記モニタすることは、
前記１つまたは複数のシンボル内の１つまたは複数の所定のシンボルをモニタすることを備える、
請求項１に記載の方法。
【請求項１０】
前記所定のシンボルは、前記ダウンリンク許可のうちの１つまたは複数において、または、無線リソース制御（ＲＲＣ）シグナリングを介して、指定される、
請求項９に記載の方法。
【請求項１１】
前記制御信号に少なくとも部分的に基づいて前記ダウンリンク許可によって割り当てられた前記リソースの少なくとも前記一部をキャンセルすることと、
前記制御信号に関連付けられた第２のダウンリンク送信の持続時間を決定することと、
前記決定された持続時間中、ダウンリンク送信のモニタリングを一時停止することと、
前記決定された持続時間に続いてダウンリンク送信のモニタリングを継続することと
をさらに備える、請求項１に記載の方法。
【請求項１２】
基地局と通信状態にある第１のユーザ機器（ＵＥ）によるワイヤレス通信のための装置であって、
可変長ダウンリンク送信時間インターバール（ＴＴＩ）において１つまたは複数のシンボルのリソースを割り当てるダウンリンク許可を受信するための手段と、
前記ダウンリンク許可の一部が先取りされることとなることを示す制御信号のために、前記割り当てられたリソースを有する前記１つまたは複数のシンボルのうちの１つまたは複数をモニタするための手段と、
前記制御信号に少なくとも部分的に基づいて、前記ダウンリンク許可によって割り当てられた前記リソースの少なくとも前記一部をキャンセルするかどうかを決定するための手段と
を備える、装置。
【請求項１３】
前記決定することに基づいて、前記ダウンリンク許可によって割り当てられた前記リソースの少なくとも前記一部をキャンセルするための手段
をさらに備える、請求項１２に記載の装置。
【請求項１４】
前記決定するための手段は、前記制御信号が、前記可変長ダウンリンクＴＴＩの最後のシンボルから閾値数のシンボル内のシンボルにおいて受信されると決定するように、および、前記可変長ダウンリンクＴＴＩの任意の残りのシンボルを受信し続けることで前記ダウンリンク許可によって割り当てられた前記リソースを維持するように動作可能である、
請求項１２に記載の装置。
【請求項１５】
前記制御信号は、第２のＵＥへのダウンリンク送信に対する第２のダウンリンク許可を備える、
請求項１２に記載の装置。
【請求項１６】
前記第２のＵＥへの前記ダウンリンク送信は、前記ダウンリンク許可によって前記第１のＵＥに割り当てられた前記リソースに関連付けられたダウンリンクデータよりも遅延センシティブである、
請求項１５に記載の装置。
【請求項１７】
前記制御信号は、後続のシンボルに対するアップリンク許可を備える、
請求項１２に記載の装置。
【請求項１８】
前記制御信号は、複数のＵＥによって復号される共通信号を備える、
請求項１２に記載の装置。
【請求項１９】
前記複数のＵＥは、無線リソース制御（ＲＲＣ）シグナリングを介して前記制御信号のためにモニタするように構成される、
請求項１８に記載の装置。
【請求項２０】
前記１つまたは複数のシンボルのうちの１つまたは複数を前記モニタするための手段は、前記１つまたは複数のシンボル内の１つまたは複数の所定のシンボルをモニタするように動作可能である、
請求項１２に記載の装置。
【請求項２１】
前記所定のシンボルは、前記ダウンリンク許可のうちの１つまたは複数において、または、無線リソース制御（ＲＲＣ）シグナリングを介して、指定される、
請求項２０に記載の装置。
【請求項２２】
前記制御信号に少なくとも部分的に基づいて前記ダウンリンク許可によって割り当てられた前記リソースの少なくとも前記一部をキャンセルするための手段と、
前記制御信号に関連付けられた第２のダウンリンク送信の持続時間を決定するための手段と、
前記決定された持続時間中、ダウンリンク送信のモニタを一時停止するための手段と、
前記決定された持続時間に続いてダウンリンク送信のモニタを継続するための手段と
をさらに備える、請求項１２に記載の装置。
【請求項２３】
ワイヤレス通信のための装置であって、
プロセッサと、
前記プロセッサと電子通信状態にあるメモリと、
前記メモリに格納されている命令と
を備え、前記命令は、
可変長ダウンリンク送信時間インターバール（ＴＴＩ）において１つまたは複数のシンボルのリソースを割り当てるダウンリンク許可を受信することと、
前記ダウンリンク許可の一部が先取りされることとなることを示す制御信号のために、前記割り当てられたリソースを有する前記１つまたは複数のシンボルのうちの１つまたは複数をモニタすることと、
前記制御信号に少なくとも部分的に基づいて、前記ダウンリンク許可によって割り当てられた前記リソースの少なくとも前記一部をキャンセルするかどうかを決定することと
を前記装置に行わせるように前記プロセッサによって実行可能である、装置。
【請求項２４】
前記命令は、
前記決定することに基づいて、前記ダウンリンク許可によって割り当てられた前記リソースの少なくとも前記一部をキャンセルすること
を前記装置に行わせるように前記プロセッサによって実行可能である、請求項２３に記載の装置。
【請求項２５】
前記命令は、
前記制御信号が、前記可変長ダウンリンクＴＴＩの最後のシンボルから閾値数のシンボル内のシンボルにおいて受信されると決定することと、
前記可変長ダウンリンクＴＴＩの任意の残りのシンボルを受信し続けることで前記ダウンリンク許可によって割り当てられた前記リソースを維持することと
を前記装置に行わせるように前記プロセッサによって実行可能である、請求項２３に記載の装置。
【請求項２６】
前記制御信号は、第２のＵＥへのダウンリンク送信に対する第２のダウンリンク許可を備える、
請求項２３に記載の装置。
【請求項２７】
前記第２のＵＥへの前記ダウンリンク送信は、前記ダウンリンク許可によって前記第１のＵＥに割り当てられた前記リソースに関連付けられたダウンリンクデータよりも遅延センシティブである、
請求項２３に記載の装置。
【請求項２８】
前記命令は、
前記ダウンリンク許可によって割り当てられた前記リソースにおいて前記１つまたは複数のシンボル内の１つまたは複数の所定のシンボルをモニタすることを備える、前記１つまたは複数のシンボルのうちの１つまたは複数をモニタすること
を前記装置に行わせるように前記プロセッサによって実行可能である、請求項２３に記載の装置。
【請求項２９】
前記命令は、
前記制御信号に少なくとも部分的に基づいて前記ダウンリンク許可によって割り当てられた前記リソースの少なくとも前記一部をキャンセルすることと、
前記制御信号に関連付けられた第２のダウンリンク送信の持続時間を決定することと、
前記決定された持続時間中、ダウンリンク送信のモニタを一時停止することと、
前記決定された持続時間に続いてダウンリンク送信のモニタを継続することと
を前記装置に行わせるように前記プロセッサによって実行可能である、請求項２３に記載の装置。
【請求項３０】
ワイヤレス通信のためのコンピュータ実行可能コードを格納している非一時的なコンピュータ読み取り可能媒体であって、前記コードは、
可変長ダウンリンク送信時間インターバール（ＴＴＩ）において１つまたは複数のシンボルを備えるダウンリンク許可を受信することと、
前記ダウンリンク許可の一部が先取りされることとなることを示す制御信号のために、前記ダウンリンク許可における前記１つまたは複数のシンボルのうちの１つまたは複数をモニタすることと、
前記制御信号に少なくとも部分的に基づいて、前記ダウンリンク許可の少なくとも前記一部をキャンセルするかどうかを決定することと
を行うようにプロセッサによって実行可能である、非一時的なコンピュータ読み取り可能媒体。
【発明の詳細な説明】
【相互参照】
【０００１】
[0001]本願は、２０１５年９月２２日に出願された、Damnjanovic等による「Transmission Preemption for Enhanced Component Carriers」と題する米国特許第１４／８６１，６９３号および２０１４年１０月１６日に出願された、Damnjanovic等による「Transmission Preemption for Enhanced Component Carriers」と題する米国特許仮出願第６２／０６４，９３４号の優先権を主張し、それらは各々、その譲受人に譲渡される。
【背景技術】
【０００２】
[0002]本開示は、たとえば、ワイヤレス通信システムに関し、より具体的には、可変長送信時間インターバルを用いるシステムにおけるリソースの割振りの先取り（preemption）に関する。
【０００３】
[0003]ワイヤレス通信システムは、音声、ビデオ、パケットデータ、メッセージング、ブロードキャスト、等、様々なタイプの通信コンテンツを提供するために広く展開されている。これらのシステムは、利用可能なシステムリソース（たとえば、時間、周波数、および電力）を共有することで複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムが含まれる。
【０００４】
[0004]例として、ワイヤレス多元接続通信システムは、いくつかの数（a number of）基地局を含み得、それらは各々、別名ユーザ機器（ＵＥ）としても知られている複数の通信デバイスのための通信を同時にサポートする。基地局は、（たとえば、基地局からＵＥへの送信のために）ダウンリンクチャネル上でおよび（たとえば、ＵＥから基地局への送信のために）アップリンクチャネル上でＵＥと通信し得る。
【０００５】
[0005]いくつかの事例では、基地局が様々な異なるＵＥへのリソース割振りをスケジューリングするとき、ＵＥと基地局との間で転送されることとなるデータのタイプは、リソース割振りのスケジューリングの優先順位を付けるときに考慮され得る。たとえば、遅延センシティブなデータは、より高い優先度が与えられ、それ程遅延にセンシティブでない他のデータよりも早く送信され得る。多くの事例では、データに関連付けられたサービス品質（ＱｏＳ）メトリックが、そのようなスケジューリングおよびリソース割振りの決定に使用され得る。いくつかの事例では、遅延センシティブなデータは、それ程遅延にセンシティブでないデータにリソースが割り振られた後に送信待ち行列に到着し得る。典型的なシステムでは、遅延センシティブなデータは、スケジューリングされているデータが送信されるまで待つ必要があり得る。
【発明の概要】
【０００６】
[0006]説明される特徴は一般に、ワイヤレス通信システム内で遅延センシティブなデータが送信されることとなる場合に１つまたは複数のＵＥへのリソース割振りを先取りするための１つまたは複数の改善されたシステム、方法、および／またはデバイスに関する。いくつかの例では、ワイヤレス通信システム内の基地局およびＵＥは、可変長ダウンリンクまたはアップリンク送信時間インターバル（ＴＴＩ）を使用し得る。送信されることとなる第１の関連データのために第１のＵＥへのいくつかの数のシンボルのリソース割振りが許可され得る。第１のＵＥへのリソース割振りに続いて、第１のデータよりも遅延センシティブな、第２のＵＥのためのデータが受信され得る。第１のＵＥへのリソース割振りが先取りされ得、リソースは、第１のＵＥへのリソース割振りの可変長ＴＴＩ内で第２のデータのために第２のＵＥに割り振られる。特定のＵＥは、このＵＥが、他のＵＥへの送信中、先取りのためにモニタすることとなることを示すシグナリングを受信し得る。特定のＵＥは、他のＵＥへの送信中先取りのためにモニタせず、別のリソース許可を示す後続の送信まで通信をモニタしないことでエネルギーを節約し得る。ＵＥが、先取りのために送信をモニタするかどうかは、たとえば、ＵＥに送信されると予想されるデータのＱｏＳに基づいて決定され得る。
【０００７】
[0007]第１のＵＥによるワイヤレス通信の方法が説明される。方法は、可変長ダウンリンク送信時間インターバール（ＴＴＩ）において１つまたは複数のシンボルのリソースを割り当てるダウンリンク許可を受信することを含み得る。方法はまた、ダウンリンク許可によって割り当てられたリソースの一部が先取りされることとなることを示す制御信号のためにシンボルのうちの１つまたは複数をモニタすることを含み得る。さらに、方法は、ダウンリンク許可によって許可されたリソースの少なくとも一部をキャンセルするかどうかを、制御信号に基づいて決定することを含み得る。
【０００８】
[0008]基地局と通信状態にある第１のユーザ機器（ＵＥ）によるワイヤレス通信のための装置が説明される。装置は、可変長ダウンリンクＴＴＩにおいて１つまたは複数のシンボルのリソースを割り当てるダウンリンク許可を受信するための手段を含み得る。装置はまた、ダウンリンク許可の一部が先取りされることとなることを示す制御信号のために、割り当てられたリソースを有するシンボルのうちの１つまたは複数をモニタするための手段を含み得る。さらに、装置は、ダウンリンク許可によって許可されたリソースの少なくとも一部をキャンセルするかどうかを、制御信号に基づいて決定するための手段を含み得る。
【０００９】
[0009]さらなる装置が説明される。装置は、プロセッサと、プロセッサと電子通信状態にあるメモリと、メモリに格納されている命令とを含み得る。命令は、可変長ダウンリンクＴＴＩにおいて１つまたは複数のシンボルのリソースを割り当てるダウンリンク許可を受信することを装置に行わせるように動作可能であり得る。命令はまた、ダウンリンク許可の一部が先取りされることとなることを示す制御信号のために、割り当てられたリソースを有するシンボルのうちの１つまたは複数をモニタすることを装置に行わせるように動作可能であり得る。さらに、命令は、ダウンリンク許可によって割り当てられたリソースの少なくとも一部をキャンセルするかどうかを、制御信号に基づいて決定することを装置に行わせるように動作可能であり得る。
【００１０】
[0010]非一時的なコンピュータ読み取り可能媒体が説明される。非一時的なコンピュータ読み取り可能媒体は、可変長ダウンリンク送信時間インターバルにおいて１つまたは複数のシンボルを含むダウンリンク許可を受信することを行うように実行可能な命令を含み得る。非一時的。命令は、ダウンリンク許可の一部が先取りされることとなることを示す制御信号のために、ダウンリンク許可におけるシンボルのうちの１つまたは複数をモニタすることを行うようにさらに実行可能であり得る。命令はまた、ダウンリンク許可の少なくとも一部をキャンセルするかどうかを、制御信号に基づいて決定することを行うように実行可能であり得る。
【００１１】
[0011]上述した方法、装置、または非一時的なコンピュータ読み取り可能媒体のいくつかの例は、決定することに基づいて、ダウンリンク許可によって割り当てられたリソースの少なくとも一部をキャンセルするためのプロセス、機能、手段、または命令をさらに含み得る。上の方法、装置、またはコンピュータ読み取り可能媒体のいくつかの例では、決定することは、可変長ダウンリンクＴＴＩの最後のシンボルから閾値数のシンボル内のシンボルにおいて制御信号が受信されると決定することを含み得る。決定することはまた、可変長ダウンリンクＴＴＩの任意の残りのシンボルを受信し続けることでダウンリンク許可によって割り当てられたリソースを維持することを含み得る。
【００１２】
[0012]上述した方法、装置、または非一時的なコンピュータ読み取り可能媒体のいくつかの例では、制御信号は、第２のＵＥへのダウンリンク送信に対する第２のダウンリンク許可を含み得る。方法、装置、または非一時的なコンピュータ読み取り可能媒体の他の例では、第２のＵＥへのダウンリンク送信は、ダウンリンク許可によって第１のＵＥに割り当てられたリソースに関連付けられたダウンリンクデータよりも遅延センシティブであり得る。
【００１３】
[0013]上述した方法、装置、または非一時的なコンピュータ読み取り可能媒体のいくつかの例では、制御信号は、後続シンボルに対するアップリンク許可を含み得る。上述した方法、装置、または非一時的なコンピュータ読み取り可能媒体の他の例では、制御信号は、複数のＵＥによって復号された共通信号を含み得る。上述した方法、装置、または非一時的なコンピュータ読み取り可能媒体のいくつかの例では、複数のＵＥは、無線リソース制御（ＲＲＣ）シグナリングを介して制御信号のためにモニタするように構成され得る。
【００１４】
[0014]上述した方法、装置、または非一時的なコンピュータ読み取り可能媒体のいくつかの例では、シンボルのうちの１つまたは複数をモニタすることは、ダウンリンク許可によって割り当てられたリソースを有する１つまたは複数のシンボル内の１つまたは複数の所定のシンボルをモニタすることを含み得る。上述した方法、装置、または非一時的なコンピュータ読み取り可能媒体の他の例では、所定のシンボルは、ダウンリンク許可の１つまたは複数においてまたは無線リソース制御（ＲＲＣ）シグナリングを介して指定され得る。
【００１５】
[0015]上述した方法、装置、または非一時的なコンピュータ読み取り可能媒体のいくつかの例は、制御信号に少なくとも部分的に基づいて、ダウンリンク許可によって割り当てられたリソースの少なくとも一部をキャンセルするためのプロセス、機能、手段、または命令をさらに含み得る。上述した方法、装置、または非一時的なコンピュータ読み取り可能媒体のいくつかの例は、制御信号に関連付けられた第２のダウンリンクの持続時間を決定するためのプロセス、機能、手段、または命令をさらに含み得る。上述した方法、装置、または非一時的なコンピュータ読み取り可能媒体のいくつかの例は、決定された持続時間中、ダウンリンク送信のモニタリングを一時停止するためのプロセス、機能、手段、または命令をさらに含み得る。上述した方法、装置、または非一時的なコンピュータ読み取り可能媒体のいくつかの例は、決定された持続時間に続いて、ダウンリンク送信のモニタリングを継続するためのプロセス、機能、手段、または命令をさらに含み得る。
【００１６】
[0016]前述は、以下の詳細な説明がより良く理解され得るように、本開示に係る例の特徴および技術的利点をどちらかといえば広く概説している。追加の特徴および利点が以降に説明される。開示される概念および特定の例は、本開示と同じ目的を実行するための他の構造を設計または修正することの基礎として容易に利用され得る。このような等価な構造は、添付の特許請求の範囲の範囲から逸脱しない。本明細書に開示される概念の特性は、それらの編成および動作方法の両方が、添付の図に関連して考慮された場合、関連する利点とともに、以下の説明からより良く理解されるであろう。図の各々は、特許請求の範囲の限定の定義としてではなく、例示および説明の目的でのみ提供される。
【図面の簡単な説明】
【００１７】
[0017]本発明の性質および利点のさらなる理解が、以下の図面への参照により実現され得る。添付の図では、同様の構成要素または特徴は、同じ参照ラベルを有し得る。さらに、同じタイプの様々な構成要素は、参照ラベルの後に続く、ダッシュと、同様の構成要素を区別する第２のラベルとによって区別され得る。本明細書で第１の参照ラベルだけが使用される場合、その説明は、第２の参照ラベルに関係なく同じ第１の参照ラベルを有する同様の構成要素のどれにも当てはまり得る。
【図１】図１は、本開示の様々な態様に係る、ワイヤレス通信システムのブロック図を示す。
【図２】図２は、本開示の態様に係る、ワイヤレス通信システムにおいて使用され得るプライマリセルおよびセカンダリセルのフレーム構造の例を例示する図である。
【図３】図３は、本開示の態様に係る、ワイヤレス通信システムの動的なダウンリンクおよびアップリンク許可ならびに関連するダウンリンクおよびアップリンク送信シンボルの例を例示する図である。
【図４】図４は、本開示の態様に係る、ワイヤレス通信システムの動的なダウンリンクおよびアップリンク許可ならびに関連するダウンリンクおよびアップリンク送信シンボルの別の例を例示する図である。
【図５】図５は、本開示の態様に係る、シンボル中の制御シグナリングが可変長ＴＴＩの送信先取りを示す可変長ＴＴＩの例を例示する図である。
【図６】図６は、本開示の態様に係る、シンボル中の制御シグナリングが可変長ＴＴＩの送信先取りを示す可変長ＴＴＩの別の例を例示する図である。
【図７】図７は、本開示の様々な態様に係る、ワイヤレス通信で使用するために構成されたデバイスのブロック図を示す。
【図８】図８は、本開示の様々な態様に係る、ワイヤレス通信で使用するために構成されたデバイスのブロック図を示す。
【図９】図９は、本開示の様々な態様に係る、ワイヤレス通信システムのブロック図を示す。
【図１０】図１０は、本開示の様々な態様に係る、ワイヤレス通信で使用するための装置のブロック図を示す。
【図１１】図１１は、本開示の様々な態様に係る、ワイヤレス通信で使用するための装置のブロック図を示す。
【図１２】図１２は、本開示の様々な態様に係る、ワイヤレス通信で使用するための基地局（たとえば、ｅＮＢの一部またはすべてを形成する基地局）のブロック図を示す。
【図１３】図１３は、本開示の様々な態様に係る、多入力／多出力通信システムのブロック図を示す。
【図１４】図１４は、本開示の様々な態様に係る、ワイヤレス通信のための方法の例を例示するフローチャートである。
【図１５】図１５は、本開示の様々な態様に係る、ワイヤレス通信のための方法の別の例を例示するフローチャートである。
【図１６】図１６は、本開示の様々な態様に係る、ワイヤレス通信のための方法の別の例を例示するフローチャートである。
【発明の詳細な説明】
【００１８】
[0034]ワイヤレス通信システム内で遅延センシティブなデータが送信されることとなる場合に１つまたは複数のＵＥへのリソース割振りを先取りするための技法が説明される。いくつかの例では、ワイヤレス通信システム内の基地局およびＵＥは、可変長ダウンリンクまたはアップリンク送信時間インターバル（ＴＴＩ）を使用し得る。送信されることとなる第１の関連データのために第１のＵＥへのいくつかの数のシンボルのリソース割振りが許可され得る。第１のＵＥへのリソース割振りに続いて、第１のデータよりも遅延センシティブな、第２のＵＥのためのデータが受信され得る。第１のＵＥへのリソース割振りが先取りされ得、リソースは、第１のＵＥへのリソース割振りの可変長ＴＴＩ内で第２のデータのために第２のＵＥに割り振られる。特定のＵＥは、このＵＥが、他のＵＥへの送信中、先取りのためにモニタすることとなることを示すシグナリングを受信し得る。特定のＵＥは、他のＵＥへの送信中先取りのためにモニタせず、別のリソース許可を示す後続の送信まで通信をモニタしないことでエネルギーを節約し得る。ＵＥが、先取りのために送信をモニタするかどうかは、たとえば、ＵＥに送信されると予想されるデータのＱｏＳに基づいて決定され得る。
【００１９】
[0035]以下の説明は、例を提供しており、特許請求の範囲に示される範囲、適用可能性、または例を限定してはいない。本開示の範囲から逸脱することなく、説明される要素の機能および配置に変更がなされ得る。様々な例は、必要に応じて（as appropriate）、様々なプロシージャまたは構成要素を省略、代用、または追加し得る。たとえば、説明される方法は、説明されるものとは異なる順序で実行され得、様々なステップが、追加、省略、または組み合わされ得る。また、いくつかの例に関して説明される特徴は、他の例では組み合され得る。
【００２０】
[0036]図１は、本開示の様々な態様に係る、ワイヤレス通信システム１００の例を例示する。ワイヤレス通信システム１００は、基地局１０５、ＵＥ１１５、およびコアネットワーク１３０を含む。コアネットワーク１３０は、ユーザ認証、アクセス認可、トラッキング、インターネットプロトコル（ＩＰ）接続性、および他のアクセス、ルーティング、またはモビリティ機能を提供し得る。基地局１０５は、バックホールリンク１３２（たとえば、Ｓ１、等）を通してコアネットワーク１３０とインターフェース接続し、ＵＥ１１５との通信のための無線構成およびスケジューリングを実行し得るか、または基地局コントローラ（図示されない）の制御下で動作し得る。様々な例では、基地局１０５は、ワイヤードまたはワイヤレス通信リンクであり得るバックホールリンク１３４（たとえば、Ｘ１、等）を通して互いに直接的にまたは（たとえば、コアネットワーク１３０を介して）間接的に通信し得る。
【００２１】
[0037]基地局１０５は、１つまたは複数の基地局アンテナを介してＵＥ１１５とワイヤレスに通信し得る。基地局１０５のサイトの各々は、それぞれの地理的カバレッジエリア１１０のための通信カバレッジを提供し得る。いくつかの例では、基地局１０５は、トランシーバ基地局、無線基地局、アクセスポイント、無線トランシーバ、ノードＢ、ｅノードＢ（ｅＮＢ）、ホームノードＢ、ホームｅノードＢ、または何らかの他の適切な用語で呼ばれ得る。基地局１０５のための地理的カバレッジエリア１１０は、カバレッジエリア（図示されない）の一部のみを構成する複数のセクタに分割され得る。ワイヤレス通信システム１００は、異なるタイプの基地局１０５（たとえば、マクロおよび／またはスモールセル基地局）を含み得る。異なる技術について重複した地理的カバレッジエリア１１０が存在し得る。
【００２２】
[0038]いくつかの例では、ワイヤレス通信システム１００の少なくとも一部は、特定の瞬間における特定のトラフィックニーズに動的に適応するフレキシビリティを提供するためにダウンリンクおよびアップリンクＴＴＩが動的に調整される、可変長ＴＴＩを使用して動作するように構成され得る。特定数のダウンリンクシンボルが、アクセスポイントまたは基地局１０５によって特定のＵＥ１１５に与えられるダウンリンクリソース許可において割り振られ得る。いくつかの例では、ＵＥ１１５に提供されるリソース許可は、ＵＥ１１５へのデータ送信の送信効率を強化するために比較的大きな数のダウンリンクシンボルを割り当て得る。遅延センシティブなトラフィックが異なるＵＥ１１５への送信のために受信される場合、アクセスポイントまたは基地局１０５は、遅延センシティブなデータを迅速に送信するために、初期のダウンリンク許可を先取りし、異なるＵＥ１１５にリソースを割り当てるための新しいダウンリンク許可を提供し得る。いくつかの例では、制御シグナリングは、先取りを示すために使用され得、マルチシンボルダウンリンクスケジューリングされたＴＴＩ中の制御の存在は、現在スケジューリングされているＵＥ１１５に、前に許可されたリソースの先取りについて警告し得、ＵＥ１１５は、前のダウンリンク許可によって割り当てられたリソースをキャンセルし得る。たとえば、ＵＥ１１５は、前の許可によって割り当てられたすべてのリソースは使用しないまたはすべてのリソースでは動作しないだろう。アクセスポイントまたは基地局１０５は、異なるＵＥ１１５にリソースを割り当てるための新しいダウンリンク許可を提供し得る。そのような可変長ＴＴＩおよび送信先取り技法の例が以下でより詳細に説明される  。
【００２３】
[0039]いくつかの例では、ワイヤレス通信システム１００は、ＬＴＥ（登録商標）／ＬＴＥ−Ａネットワークであり得る。ＬＴＥ／ＬＴＥ−Ａネットワークでは、発展型ノードＢ（ｅＮＢ）という用語は一般に、基地局１０５を説明するために使用され得、ＵＥという用語は一般に、ＵＥ１１５を説明するために使用され得る。ワイヤレス通信システム１００は、異なるタイプのｅＮＢが様々な地理的領域にカバレッジを提供する異種ＬＴＥ／ＬＴＥ−Ａネットワークであり得る。たとえば、各ｅＮＢまたは基地局１０５は、マクロセル、スモールセル、および／または他のタイプのセルに通信カバレッジを提供し得る。「セル」という用語は、文脈に依存して、基地局、基地局に関連付けられたキャリアまたはコンポーネントキャリア、またはキャリアまたは基地局のカバレッジエリア（たとえば、セクタ、等）を説明するために使用されることができる３ＧＰＰ（登録商標）用語である。
【００２４】
[0040]マクロセルは一般に、比較的広い地理的エリア（たとえば、半径数キロメートル）をカバーし、ネットワークプロバイダにサービス加入しているＵＥによる無制限のアクセスを可能にし得る。スモールセルは、マクロセルと比べて、より低い電力の基地局であり、それは、マクロセルと同じまたは異なる（たとえば、認可、未認可、等の）周波数帯域で動作し得る。スモールセルは、様々な例にしたがってピコセル、フェムトセル、およびマイクロセルを含み得る。ピコセルは、比較的狭い地理的エリアをカバーし、ネットワークプロバイダにサービス加入しているＵＥによる無制限のアクセスを可能にし得る。フェムトセルはまた、比較的狭い地理的エリア（たとえば、家）をカバーし、このフェムトセルと関連性のあるＵＥ（たとえば、クローズド加入者グループ（ＣＳＧ）内のＵＥ、家の中にいるユーザのＵＥ、等）による制限付きアクセスを提供し得る。マクロセルのためのｅＮＢはマクロｅＮＢと呼ばれ得る。スモールセルのためのｅＮＢは、スモールセルｅＮＢ、ピコｅＮＢ、フェムトｅＮＢまたはホームｅＮＢと呼ばれ得る。ｅＮＢは、１つまたは複数（たとえば、２つ、３つ、４つ、等）のセル（たとえば、コンポーネントキャリア）をサポートし得る。
【００２５】
[0041]ワイヤレス通信システム１００は、同期動作または非同期動作をサポートし得る。同期動作の場合、基地局は同様のフレームタイミングを有し得、異なる基地局からの送信は、時間的におおまかにアラインされ得る。非同期動作の場合、基地局は異なるフレームタイミングを有し得、異なる基地局からの送信は、時間的にアラインされない可能性がある。本明細書で説明される技法は、同期動作または非同期動作のいずれかに対して使用され得る。
【００２６】
[0042]開示される様々な例のうちのいくつかを考慮に入れ得る（accommodate）通信ネットワークは、階層化プロトコルスタックにしたがって動作するパケットベースのネットワークであり得る。ユーザプレーンでは、ベアラまたはパケットデータコンバージェンスプロトコル（ＰＤＣＰ）レイヤでの通信は、ＩＰベースであり得る。無線リンク制御（ＲＬＣ）レイヤは、論理チャネルを通して通信するためにパケットセグメンテーションおよびリアセンブリを実行し得る。媒体アクセス制御（ＭＡＣ）レイヤは、トランスポートチャネルへの論理チャネルの多重化および優先処理を実行し得る。ＭＡＣレイヤはまた、リンク効率を高めるためにＭＡＣレイヤにおいて再送を提供するハイブリッドＡＲＱ（ＨＡＲＱ）を使用し得る。制御プレーンでは、無線リソース制御（ＲＲＣ）プロトコルレイヤは、ユーザプレーンデータのための無線ベアラをサポートする基地局１０５またはコアネットワーク１３０とＵＥ１１５との間でのＲＲＣ接続の確立、構成、および維持を提供し得る。物理レイヤ（ＰＨＹ）において、トランスポートチャネルが物理チャネルにマッピングされ得る。
【００２７】
[0043]ＵＥ１１５は、ワイヤレス通信システム１００中に分散しており、各ＵＥ１１５は、据置型またはモバイルであり得る。ＵＥ１１５は、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語も含み得るかまたは当業者によってそうとも呼ばれ得る。ＵＥ１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局、等であり得る。ＵＥは、マクロｅＮＢ、スモールセルｅＮＢ、リレー基地局、等を含む、様々なタイプの基地局およびネットワーク機器と通信することができ得る。
【００２８】
[0044]ワイヤレス通信システム１００中に示される通信リンク１２５は、ＵＥ１１５から基地局１０５へのアップリンク（ＵＬ）送信および／または基地局１０５からＵＥ１１５へのダウンリンク（ＤＬ）送信を含み得る。ダウンリンク送信は、順方向リンク送信とも呼ばれ得、アップリンク送信は、逆方向リンク送信とも呼ばれ得る。各通信リンク１２５は、１つまたは複数のキャリアを含み得、ここで、各キャリアは、上述した様々な無線技法にしたがって変調される複数のサブキャリアから成る信号（たとえば、異なる周波数の波形信号）であり得る。変調された各信号は、異なるサブキャリア上で送られ、制御情報（たとえば、基準信号、制御チャネル、等）、オーバヘッド情報、ユーザデータ、等を搬送し得る。通信リンク１２５は、ＦＤＤを使用して（たとえば、対のスペクトルリソースを使用して）またはＴＤＤ動作を使用して（たとえば、不対のスペクトルリソースを使用して）双方向通信を送信し得る。ＦＤＤのためのフレーム構造（たとえば、フレーム構造タイプ１）およびＴＤＤのためのフレーム構造（たとえば、フレーム構造タイプ２）が定義され得る。
【００２９】
[0045]システム１００のいくつかの実施形態では、基地局１０５および／またはＵＥ１１５は、基地局１０５とＵＥ１１５との間の通信の品質および信頼性を改善するためにアンテナダイバーシティスキームを用いるための複数のアンテナを含み得る。追加的または代替的に、基地局１０５および／またはＵＥ１１５は、同じまたは異なるコード化データを搬送する複数の空間レイヤを送信するためにマルチパス環境を利用し得る多入力多出力（ＭＩＭＯ）技法を用い得る。
【００３０】
[0046]ワイヤレス通信システム１００は、複数のセルまたはキャリア上での動作をサポートし得、その機能は、キャリアアグリゲーション（ＣＡ）またはマルチキャリア動作と呼ばれ得る。キャリアは、コンポーネントキャリア（ＣＣ）、レイヤ、チャネル、等とも呼ばれ得る。「キャリア」、「コンポーネントキャリア」、「セル」、および「チャネル」という用語は、本明細書では交換可能に使用され得る。ＵＥ１１５は、キャリアアグリゲーションのために複数のダウンリンクＣＣおよび１つまたは複数のアップリンクＣＣで構成され得る。キャリアアグリゲーションは、ＦＤＤとＴＤＤの両方のコンポーネントキャリアで使用され得る。
【００３１】
[0047]上述したように、様々な例が、可変ＴＴＩを利用する、図１のワイヤレス通信システム１００のようなワイヤレス通信システムにおいて通信を提供する。図２は、本開示の態様に係る、図１のワイヤレス通信システム１００のようなワイヤレス通信システムの異なるセルを使用して送信され得る無線フレームおよび異なるサブフレームの例を概念的に例示するブロック図２００である。図２の無線フレームは、たとえば、１つまたは複数のアクセスポイントまたは基地局１０５と１つまたは複数のＵＥ１１５との間で、図１に関連して説明されたワイヤレス通信システム１００の一部を使用して送信され得る。この例では、レガシプライマリセル（ＰＣｅｌｌ）送信２１０は、ダウンリンクサブフレーム２２５、スペシャルサブフレーム２３０、およびアップリンクサブフレーム２３５を含む１０個の１ミリ秒サブフレームを含むＴＤＤフレームを含み得る。ダウンリンクサブフレーム２２５、スペシャルサブフレーム２３０、およびアップリンクサブフレーム２３５は、定められているＬＴＥ規格にしたがって定義されたサブフレーム構造を含み得、それは、各１ミリ秒サブフレーム内に１４個のレガシシンボル２６６を含み得る。いくつかの例では、ダウンリンクサブフレーム２２５は、各々１つまたはいくつかの直交周波数分割多重化（ＯＦＤＭ）シンボルであるかそれを含み得る１つまたは複数のダウンリンクシンボルを含み得、アップリンクサブフレームは、単一キャリア周波数分割多重化（ＳＣ−ＦＤＭ）シンボルを含み得、スペシャルサブフレーム２３０は、アップリンクＳＣ−ＦＤＭＡシンボルおよびダウンリンクＯＦＤＭシンボルの両方を含み得る。
【００３２】
[0048]図２の例では、セカンダリセル（ＳＣｅｌｌ）送信２２０は、レガシフレーム構造を、ダウンリンクシンボルとアップリンクシンボルとの間で動的な切替え、および、可変ＴＴＩ長を可能にするＴＤＤベースのフレーム構造と置き換え得る低レイテンシまたはバーストモード送信を含み得る。
【００３３】
[0049]図２の例は、ＳＣｅｌｌ上での低レイテンシまたはバーストモード送信を示すが、そのような送信構造に加え、本明細書で説明される様々な技法および原理が、レガシＬＴＥフレームの１つまたは複数のバーストモードサブフレーム内といった他の送信において、他のＰＣｅｌｌ送信において、認可または未認可スペクトルにおいて、等で実現され得ることは理解されるだろう。図２の例では、拡張コンポーネントキャリア（ｅＣＣ）送信と呼ばれ得るＳＣｅｌｌ送信２２０は、指定されたダウンリンクシンボル２４０および指定されたアップリンクシンボル２６０、ならびに、特定のトラフィックニーズに基づいてアップリンクまたはダウンリンクシンボルとして割り振られ得るフレキシブルなシンボル２４５を含み得る。
【００３４】
[0050]指定されたダウンリンクシンボル２４０および指定されたアップリンクシンボル２６０は、たとえば、様々な無線リソース管理（ＲＲＭ）測定、同期、ＣＳＩフィードバック、ランダムアクセスチャネル（ＲＡＣＨ）、およびスケジューリング要求（ＳＲ）通信を可能にするために提供され得る。指定されたダウンリンクシンボル２４０および指定されたアップリンクシンボル２６０は、図１の基地局１０５のような基地局によって構成され得、ＲＲＣシグナリング、システム情報ブロック（ＳＩＢ）、またはＰＤＣＣＨシグナリングのうちの１つまたは複数を介して図１のＵＥ１１５のような１つまたは複数のＵＥに通信され得る。述べたように、フレキシブルなシンボル２４５は、アップリンクまたはダウンリンクシンボルとなるように切り替えられ得、そのような構成を示すインジケーションは、アップリンクリソース、ダウンリンクリソース、または両方を割り振る、且つ、ＵＥに提供されるリソース許可において基地局によって提供され得る。そのような割振りに基づいて、ＵＥは、特定数のシンボル２４０、２４５、２６０が、ＵＥと基地局との間の通信に割り振られ得ることを決定し得る。
【００３５】
[0051]シンボルのそのような動的な切替えにより、基地局およびＵＥは、無線フレーム全体についてのアップリンクまたはダウンリンクサブフレームの数の観点から予見することは必要とされないが、動的なまたはフレキシブルな方法で特定のリソース割振りを決定し得る。特定のＵＥに割り振られ得るリソースの数は、たとえば、ＵＥと基地局との間で送信されることとなるデータ量、データに関連付けられたレイテンシ要件またはサービス品質（ＱｏＳ）要件に基づいて決定され得る。いくつかの例では、シンボル２４０、２４５、および２６０の各々は、レガシＯＦＤＭまたはＳＣ−ＦＤＭシンボル（たとえば、シンボル２６６）に対して、低減されたシンボル持続時間を有し、いくつかの例では、１シンボルあたり、８．３３μｓの有益なシンボル持続時間と２．０３μｓのサイクルプリフィックス持続時間とを含む１１．３６μｓのシンボル持続時間を有し得る。シンボル２４０、２４５、および２６０は、レガシシンボルに対して、サブキャリアについての増加したトーン間隔を有し、いくつかの例では、１２０ｋＨｚのトーン間隔を有し、比較的広い帯域幅（たとえば、８０ＭＨｚ）を利用し得る。
【００３６】
[0052]そのような短縮されたシンボル持続時間と、ダウンリンク通信とアップリンク通信との間の動的な切替えとは、低減された肯定応答／否定応答（ＡＣＫ／ＮＡＣＫ）ターンアラウンド時間を可能にし得、ゆえに、データの比較的低いレイテンシ送信を提供し得る。いくつかの例では、遅延センシティブなデータは、ＳＣｅｌｌ送信２２０を使用して送信され得、それ程遅延センシティブではない他のデータは、ＰＣｅｌｌ送信２１０を使用して送信され得る。いくつかの例では、いくつかの数のシンボル２４０、２４５、および２６０が、第１の時間期間（Ｔ１）２６５の間第１のＵＥに割り振られ得、第２の時間期間（Ｔ２）２７０および第３の時間期間（Ｔ３）２７５の間第１のＵＥまたは１つまたは複数の他のＵＥに割り振られ得る。そのような時間期間２６５、２７０、２７５の長さは、たとえば、いくつか例をあげると、送信されることとなるデータ量、そのデータに関連付けられたＱｏＳ、データの遅延要件、存在する他のＵＥの数、またはチャネル条件のような様々な要因のうちの１つまたは複数にしたがって決定され得る。
【００３７】
[0053]ここで図３を参照すると、ｅＣＣ送信の例を概念的に例示するブロック図３００が説明される。図３の例では、ｅＣＣ送信３２０は、アップリンクまたはダウンリンクシンボルとして割り振られたいくつかの数のシンボルを含み得る。そのような送信３２０は、本開示の態様に係る、図１のワイヤレス通信システム１００のようなワイヤレス通信システムの異なるセルを使用して送信され得る。いくつかの例では、送信３２０は、図２に関連して上述したように、ＳＣｅｌｌ上で送信される。図３の例では、第１の時間期間（Ｔ１）３４０は、９つのダウンリンクシンボル３３０のダウンリンク許可または割当てを含み得る。この例では、初期のダウンリンクシンボル３３０は、次の（upcoming）時間期間（たとえば、Ｔ１ ３４０）についてのリソース割振りを示し得る制御情報３３５を含み得る。
【００３８】
[0054]いくつかの例では、制御情報３３５は、後続のシンボル３３０を含むリソースをＵＥに割り当てるダウンリンク許可を含み得る。この例では、制御情報３５０の後続の送信は、８つのアップリンクシンボル８４５を割り当てるアップリンク許可を含み得る。空のシンボル３５５は、ＵＥにおいて切り替えるための時間を確保する（allow）ために、ダウンリンクシンボル３３０とアップリンクシンボル３４５との間に含まれ得る。いくつかの例では、シンボル３３０、３４５のバンドルは、基地局によってＵＥに割り振られ得、そのようなバンドル長さは、制御情報（たとえば、動的な許可）３３５、３５０によって制御される。比較的大きな数のシンボルが、いくらか遅延センシティブでないいくつかの例において、高められた効率を提供するために割り振られ得る。シンボル３３０、３４５、および３５５は、１つまたは複数のＯＦＤＭシンボルを含み得る。
【００３９】
[0055]他の例では、データ送信が比較的遅延センシティブである場合、特定のＵＥへの動的な許可は、低減されたＡＣＫ／ＮＡＣＫターンアラウンド時間を提供するために、比較的短いであろう。図４は、比較的短い許可の例４００を例示する。この例では、ｅＣＣ送信４２０は、たった１つまたは２つのシンボルのリソース割振りを含み得る。図４のｅＣＣ送信４２０は、本開示の態様に係る、図１のワイヤレス通信システム１００のようなワイヤレス通信システムを使用して送信され得る。いくつかの例では、送信４２０は、図２および３に関連して上述したように、ＳＣｅｌｌ上で送信される。この例では、初期のダウンリンクシンボル４２５内の制御情報４３５は、１つのダウンリンクシンボル（すなわち、ＴＴＩ＝１シンボル）を割り当てるダウンリンク許可と、１つのアップリンクシンボル（すなわち、ＴＴＩ＝１シンボル）を割り当てるアップリンク許可とを含み得る。様々な例では、アップリンク許可は、制御情報４３５の受信から最小で２つのシンボルにおいて効力を発揮し得、それにより、空のシンボル４３０を考慮に入れ、アップリンクシンボル４４０を送信するためにＵＥにおいて切り替えることを可能にする。この例では、ｅＣＣ送信４２０は、第２の制御情報４５０の送信を含み、これは、この例では、２つのダウンリンクシンボル（たとえば、ＴＴＩ＝２シンボル）に対するダウンリンク許可であり、ここで、第３の制御情報４５５は、１つまたは複数のアップリンクシンボル４４０のＴＴＩを有し得る後続のアップリンク許可を提供する。
【００４０】
[0056]上述したように、様々な例は、遅延センシティブなデータが、第２のＵＥへの送信のために受信される場合に特定のＵＥへのリソース許可が先取りされ得ることを提供する。ここで図５を参照すると、リソース許可と、ｅＣＣ送信５２０内のこのリソース許可の後続の先取りとの例５００が説明される。図５のｅＣＣ送信５２０は、本開示の態様に係る、図１のワイヤレス通信システム１００のようなワイヤレス通信システムを使用して送信され得る。いくつかの例では、送信５２０は、図２、３、または４のうちの１つまたは複数に関連して上述したように、ＳＣｅｌｌ上で送信される。
【００４１】
[0057]図５の例では、第１のダウンリンクシンボル５２５は、いくつかの数のダウンリンクシンボルを含むリソースを第１のＵＥ（ＵＥ１）に割り当てるダウンリンク許可を含み得る制御情報５３５を含み得る。たとえば、制御情報５３５は、図３に関連して説明されたのと同様に、９つのダウンリンクシンボルを割り当てるダウンリンク許可と、８つのアップリンクシンボルを割り当てるアップリンク許可とを含み得る。この例では、２つのダウンリンクシンボル５３０が、第１のＵＥに送信される。ダウンリンク許可およびリソースの割当てに続いて、第２のＵＥ（ＵＥ２）のための遅延センシティブなデータが受信され得る。図５の例では、基地局は、第４のダウンリンクシンボル５４０において制御情報５４５を送信し得る。制御情報は、既存のダウンリンク許可が先取りされており、ゆえに、割り当てられたリソースが再度割り当てられていることを第１のＵＥに示し得る。第１のＵＥは、制御情報の受信を受けて、ダウンリンク許可によって割り当てられたリソースの残りの部分をキャンセルし得る。基地局は、ダウンリンクシンボル５４０においてダウンリンクデータを第２のＵＥに送信し得る。いくつかの例では、制御情報５４５は、第２のＵＥへのダウンリンク許可を含み得る。
【００４２】
[0058]この例では、第３のＵＥ（ＵＥ３）のためのダウンリンクデータもまた受信され得、基地局は、次のダウンリンクシンボル５５０がダウンリンクデータに割り振られる（たとえば、割り当てられる）ことを示す制御情報５５５を第３のＵＥに送信し得る。制御情報５５５はまた、アップリンクシンボル５６０に対するアップリンク許可を提供し得る。そのような制御情報５４５、５５５を送信することは、基地局が、制御情報５２５に含まれるダウンリンク許可において初期に割り振られたより長いＴＴＩの実行中のダウンリンク送信中でさえも、遅延センシティブなトラフィックを迅速にスケジューリングすることを可能にする。そのような先取りがない場合、基地局は、遅延センシティブなデータを送信する前に、既存のスケジューリングされている許可が完了するまで待つ必要があり得る。いくつかの例では、マルチシンボルダウンリンクスケジューリングされているＴＴＩ中の制御情報５４５、５５５の存在は、スケジューリングされているＵＥ（たとえば、第１のＵＥ）に、前に与えられた許可の先取りについて警告し、第１のＵＥは、前に与えられたマルチシンボル割当てをキャンセルし得る。さらに、いくつかの例では、アップリンク許可は、ＵＥへの許可を先取りするために使用される同じ制御情報５４５、５５５において送られ得る。
【００４３】
[0059]いくつかの例では、基地局と通信状態にあるすべてのＵＥまたはＵＥのサブセットは、許可が先取りされるかどうかを、および、新しい許可が異なるＵＥに与えられ得る可能性について決定するために、すべてのシンボルにおいて制御の存在をモニタし得る。いくつかの例では、ＵＥは、たとえば、無線リソース制御（ＲＲＣ）シグナリングのような制御シグナリングを通して先取りのためにモニタするように構成され得る。基地局は、特定のＵＥが、制御情報５４５、５５５のためにモニタすべきであることを、たとえば、ＵＥの１つまたは複数のアクティブサービスに基づいて決定され得るＵＥに送信される可能性が高いデータの遅延センシティビティおよびそれらのサービスにしたがって送信されるデータの関連サービス品質（ＱｏＳ）のような１つまたは複数の要因に基づいて決定し得る。たとえば、ＱｏＳに依存して、いくつかのＵＥは遅延センシティブではないため、それらは、制御モニタリングを継続的に実行する必要はなく、ゆえに、先取りされた許可に基づいて新しい許可を受信する資格はないだろう。そのような遅延センシティブでないＵＥは、いくつかの例では、それらがダウンリンク割当て持続時間についての通知を受信した後に「スリープ」状態になる。現在マルチシンボルスケジューリングされているＵＥは、可能性のある（possible）割当てキャンセレーションに気付くために、そのＲＲＣ−構成された先取り構成に関わらず、制御モニタリングを継続的に実行する。いくつかの例では、現在スケジューリングされているＵＥは、マルチシンボルダウンリンク許可が先取りされたことを受けて、制御情報および可能な先取りのために後続のシンボルをモニタし得る。現在スケジューリングされているＵＥが比較的低いＱｏＳを有する例では、そのようなＵＥは、制御情報のために後続のシンボルをモニタしないように構成され得る。
【００４４】
[0060]特定の例では、制御情報は、いくつかの数のＵＥによって復号され得る共通の信号を含み得る。いくつかの例では、マルチシンボルダウンリンク許可内の１つまたは複数の所定のシンボルは、既存の許可の先取りについての制御情報を含む制御信号を含む資格があり得る。たとえば、ダウンリンク許可が、たった２つまたは３つのダウンリンクシンボルに対する比較的短いダウンリンク許可である場合、たとえば、そのような許可は、後続の許可が比較的短い長さの時間においてスケジューリングされ得るため、先取りに対して資格がないだろう。ゆえに、ＵＥは、許可が閾値数よりも少ない数のシンボルについてのものである場合、先取りを示す制御信号がいずれも送信されないに気づき得る。他の例では、制御信号は、ＵＥが特定のシンボルだけをモニタすることを可能にし得る特定のシンボルにおいて、たとえば、設定された周期性で送信され得る。そのような所定のシンボルは、たとえば、ダウンリンク許可、ＲＲＣシグナリング、ＰＤＣＣＨ信号、またはシステム情報ブロック（ＳＩＢ）のうちの１つまたは複数において指定され得る。
【００４５】
[0061]特定の例では、制御信号が、許可の終端から閾値数のシンボル内で受信される場合、現在スケジューリングされている許可は完了し得る。ここで図６を参照すると、ｅＣＣ送信６２０内でのリソース許可および後続の制御信号の送信の別の例６００が説明される。図６のｅＣＣ送信６２０は、本開示の態様に係る、図１のワイヤレス通信システム１００のようなワイヤレス通信システムを使用して送信され得る。いくつかの例では、送信６２０は、図２、３、４、または５のうちの１つまたは複数に関連して上述したように、ＳＣｅｌｌ上でｅＣＣとして送信される。
【００４６】
[0062]図６の例では、第１のダウンリンクシンボル６２５は、第１のＵＥ（ＵＥ１）への、いくつかの数のダウンリンクシンボルに対するダウンリンク許可を含み得る制御情報６３５を含み得る。たとえば、制御情報６３５は、５つのダウンリンクシンボルに対するダウンリンク許可を含み得る。この例では、２つのダウンリンクシンボル６３０が、第１のＵＥに送信される。ダウンリンク許可に続いて、第２のＵＥ（ＵＥ２）のための遅延センシティブなデータが受信され得る。図６の例では、基地局は、第４のダウンリンクシンボル６４０において制御情報６４５を送信し得る。制御情報は、既存のダウンリンク許可が先取りされていることを第１のＵＥに示し得る。しかしながら、初期にスケジューリングされたダウンリンク許可が閾値数のシンボル（たとえば、２つのシンボル）内で完了するようにスケジューリングされるため、既存の許可は、ダウンリンクシンボル６４０および６５０を第１のＵＥに送信することで完了され得る。初期のダウンリンク許可によって割り当てられたリソース上での送信の完了に続いて、制御情報６４５に含まれる制御情報に基づいて、ダウンリンクシンボル６６０が第２のＵＥに送信され得る。ダウンリンクシンボル６６０が図６の例には例示されているが、制御情報６４５は代わりに、別のＵＥのためのスケジューリングされたアップリンク許可を含み得、これは、現在の許可の最後のスケジューリングされているシンボルに続いて第１の利用可能なシンボルにおいて送信され得る。閾値数のシンボルのうちのシンボルの数は、比較的少ない量の遅延を追加することによる著しい制約とならないように選択され得、ｅＣＣ送信に使用される特定の数秘学に基づいて決定され得る。
【００４７】
[0063]図７は、本開示の様々な態様に係る、ワイヤレス通信で使用するためのデバイス７０５のブロック図７００を示す。デバイス７０５は、図１に関連して説明されたＵＥ１１５の１つまたは複数の態様の例であり得る。デバイス７０５は、受信機モジュール７１０、ＵＥ先取りモジュール７１５、および／または送信機モジュール７２０を含み得る。デバイス７０５はまた、プロセッサ（図示されない）であり得るかそれを含み得る。これらのモジュールの各々は、互いに通信状態にあり得る。デバイス７０５はまた、図９および１３に関連して説明されたＵＥ１１５−ａの例を表し得る。
【００４８】
[0064]デバイス７０５の構成要素は、個々にまたは集合的に、ハードウェアにおいて適用可能な機能のうちのいくつかまたはすべてを実行するように適合された１つまたは複数の特定用途向け集積回路（ＡＳＩＣ）を使用して実現され得る。代替的に、これら機能は、１つまたは複数の集積回路上の１つまたは複数の他の処理ユニット（または、コア）によって実行され得る。他の例では、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得、それらは、当技術分野において知られている任意の方法でプログラムされ得る。各モジュールの機能はまた、全体的にあるいは部分的に、メモリにおいて具現化される命令で実現され、１つまたは複数の汎用または専用プロセッサによって実行されるようにフォーマットされ得る。
【００４９】
[0065]受信機モジュール７１０は、様々な情報チャネル（たとえば、制御チャネル、データチャネル、等）に関連付けられたパケット、ユーザデータ、および／または制御情報のような情報を受信し得る。受信機モジュール７１０は、ダウンリンク送信のスケジューリングされている許可を先取りするための制御信号と、そのような制御信号がモニタされるべきかどうかまたはそのようなモニタリングがいつ実行されるべきかを示し得る他の信号とを受信するように構成され得る。情報は、ＵＥ先取りモジュール７１５におよびデバイス７０５の他の構成要素に伝えられ得る。受信機モジュール７１０はまた、図９に関連して説明されたトランシーバモジュール９３５の例を表し得る。
【００５０】
[0066]ＵＥ先取りモジュール７１５は、たとえば、図２−６に関連して上述したように、マルチシンボルリソース許可中の先取りを示す制御信号のために、たとえば、１つまたは複数のＯＦＤＭシンボルのようなシンボルをモニタするように構成され得る。送信機モジュール７２０は、デバイス７０５の他の構成要素から受信された１つまたは複数の信号を送信し得る。送信機モジュール７２０は、たとえば、アップリンクデータを送信し得る。いくつかの例では、送信機モジュール７２０は、トランシーバモジュールにおいて受信機モジュール７１０とコロケートされ得る。ＵＥ先取りモジュール７１５は、受信機モジュール７１０もしくは送信機モジュール７２０またはその両方とともに、ダウンリンク許可によって割り当てられたリソースの一部をキャンセルするかどうかを決定し得る。ＵＥ先取りモジュール７１５は、図９で説明されたプロセッサモジュール９０５のようなプロセッサの一態様であり得る。
【００５１】
[0067]図８は、様々な例に係る、ワイヤレス通信で使用するためのデバイス７０５−ａのブロック図８００を示す。デバイス７０５−ａは、図１に関連して説明されたＵＥ１１５の１つまたは複数の態様の例であり得る。これもまた、図７に関連して説明されたデバイス７０５の例であり得る。デバイス７０５−ａは、受信機モジュール７１０−ａ、ＵＥ先取りモジュール７１５−ａ、および／または送信機モジュール７２０−ａを含み得、これらは、デバイス７０５の対応するモジュールの例であり得る。デバイス７０５−ａはまた、プロセッサ（図示されない）を含み得る。これらの構成要素の各々は、互いに通信状態にあり得る。ＵＥ先取りモジュール７１５−ａは、ダウンリンク許可モジュール８０５、制御信号モニタリングモジュール８１０、および先取り決定モジュール８１５を含み得る。受信機モジュール７１０−ａおよび送信機モジュール７２０−ａは、それぞれ、図７の受信機モジュール７１０および送信機モジュール７２０の機能を実行し得る。受信機モジュール７１０−ａおよび送信機モジュール７２０ａは、図９に関連して説明されたトランシーバモジュール９３５の例を表し得る。
【００５２】
[0068]ダウンリンク許可モジュール８０５は、図２−６に関連して上述したように、ダウンリンク許可に基づいて、基地局によってＵＥに割り振られるリソースを決定し得る。制御信号モニタリングモジュール８１０は、図２−６に関連して上述したのと同様の方法で、リソースの現在の許可が先取りされることとなることを示す制御情報を含み得る制御信号のために、１つまたは複数のダウンリンクシンボルをモニタし得る。先取り決定モジュール８１５は、図２−６に関連して上述したのと同様の方法で、現在の許可がキャンセルされることとなり、それにより、許可されたリソース上の送信または受信が停止したかどうかを、および、新しい許可が制御情報に含まれているかどうかを決定し得る。
【００５３】
[0069]図９は、様々な例に係る、ワイヤレス通信で使用するためのシステム９００を示す。システム９００は、ＵＥ１１５−ａを含み得、これは、図１および１３のＵＥ１１５および１１５−ｂの例であり得る。ＵＥ１１５−ａはまた、図７および８のデバイス７０５の１つまたは複数の態様の例であり得る。
【００５４】
[0070]ＵＥ１１５−ａは、一般に、通信を送信するための構成要素と通信を受信するための構成要素とを含む、双方向音声およびデータ通信のための構成要素を含み得る。ＵＥ１１５−ａは、アンテナ９０５、トランシーバモジュール９３５、プロセッサモジュール９０５、および（ソフトウェア（ＳＷ）９２０を含む）メモリ９１５を含み得、それらは各々、直接的または間接的に、（たとえば、１つまたは複数のバス９４５を介して）互いに通信し得る。トランシーバモジュール９３５は、上述したように、アンテナ９４０および／または１つまたは複数のワイヤードまたはワイヤレスリンクを介して、１つまたは複数のネットワークと双方向で通信するように構成され得る。たとえば、トランシーバモジュール９３５は、図１を参照して、基地局１０５と双方向で通信するように構成され得る。トランシーバモジュール９３５は、パケットを変調し、変調されたパケットを送信のためにアンテナ９４０に提供し、アンテナ９４０から受信されたパケットを復調するように構成されたモデムを含み得る。ＵＥ１１５−ａは単一のアンテナ９４０を含み得るが、ＵＥ１１５−ａは、複数のワイヤレス送信を同時に送信および／または受信することができる複数のアンテナ９４０を有し得る。トランシーバモジュール９３５は、複数のコンポーネントキャリアを介して１つまたは複数の基地局１０５と同時に通信することができ得る。
【００５５】
[0071]ＵＥ１１５−ａは、ＵＥ先取りモジュール７１５−ｂを含み得、これは、図７および８のデバイス７０５のＵＥ先取りモジュール７１５について上述した機能を実行し得る。ＵＥ１１５−ａはまた、図２−６に関連して上述したのと同様の方法で、制御信号を受信し、現在スケジューリングされている許可の先取りおよび制御信号の制御情報に含まれ得る新しい許可に関する決定を行い得る制御信号モジュール９２５を含み得る。
【００５６】
[0072]メモリ９１５は、ランダムアクセスメモリ（ＲＡＭ）および読取専用メモリ（ＲＯＭ）を含み得る。メモリ９１５はまた、実行されると、本明細書で説明された様々な機能（たとえば、可変ＴＴＩスケジューリング、許可の先取りの決定、等）を実行することをプロセッサモジュール９０５に行わせるように構成された命令を含む、コンピュータ読み取り可能でコンピュータ実行可能なソフトウェア／ファームウェアコード９２０を格納し得る。代替的に、コンピュータ読み取り可能でコンピュータ実行可能なソフトウェア／ファームウェアコード９２０は、プロセッサモジュール９０５によって直接的に実行可能でない場合があるが、（たとえば、コンパイルおよび実行されたとき）本明細書で説明された機能を実行することをコンピュータに行わせるように構成され得る。プロセッサモジュール９０５は、たとえば、中央処理装置（ＣＰＵ）、マイクロコントローラ、特定用途向け集積回路（ＡＳＩＣ）、等のようなインテリジェントハードウェアデバイスを含み得る。
【００５７】
[0073]図１０は、本開示の様々な態様に係る、ワイヤレス通信で使用するための装置１００５のブロック図１０００を示す。いくつかの例では、装置１００５は、図１に関連して説明された基地局１０５のうちの１つまたは複数の態様の例であり得る。いくつかの例では、装置１００５は、図１および１２で説明された基地局１０５または１０５−ａに類似したＬＴＥ／ＬＴＥ−Ａ ｅＮＢおよび／またはＬＴＥ／ＬＴＥ−Ａ 基地局の一部であるかそれを含み得る。装置１００５はまた、図１２で説明される基地局プロセッサモジュール１２１０のようなプロセッサであり得る。装置１００５は、受信機モジュール１０１０、基地局先取りモジュール１０１５、および／または送信機モジュール１０２０を含み得る。これらのモジュールの各々は、互いに通信状態にあり得る。
【００５８】
[0074]装置１００５の構成要素は、個々にまたは集合的に、ハードウェアにおいて適用可能な機能のうちのいくつかまたはすべてを実行するように適合された１つまたは複数のＡＳＩＣを使用して実現され得る。代替的に、これら機能は、１つまたは複数の集積回路上の１つまたは複数の他の処理ユニット（または、コア）によって実行され得る。他の例では、他のタイプの集積回路（たとえば、ストラクチャード／プラットフォームＡＳＩＣ、ＦＰＧＡ、および他のセミカスタムＩＣ）が使用され得、それらは、当技術分野において知られている任意の方法でプログラムされ得る。各構成要素の機能はまた、全体的にあるいは部分的に、メモリにおいて具現化される命令で実現され、１つまたは複数の汎用または専用プロセッサによって実行されるようにフォーマットされ得る。
【００５９】
[0075]いくつかの例では、受信機モジュール１０１０は、アップリンク送信に動作可能なＲＦ受信機のような少なくとも１つの無線周波数（ＲＦ）受信機を含み得る。受信機モジュール１０１０は、図１に関連して説明されたワイヤレス通信システム１００の１つまたは複数の通信リンクのような、ワイヤレス通信システムの１つまたは複数の通信リンクを通して様々なタイプのデータおよび／または制御信号（すなわち、送信）を受信するために使用され得る。
【００６０】
[0076]いくつかの例では、送信機モジュール１０２０は、アップリンクおよびダウンリンクリソースのスケジューリング許可と、現在スケジューリングされている許可が先取りされることとなることを示し得る制御信号とを送信するように動作可能な少なくとも１つＲＦ送信機のような少なくとも１つのＲＦ送信機を含み得る。送信機モジュール１０２０は、図１に関連して説明されたワイヤレス通信システム１００の１つまたは複数の通信リンクのような、ワイヤレス通信システムの１つまたは複数の通信リンクを通して様々なタイプのデータおよび／または制御信号（すなわち、送信）を送信するために使用され得る。受信機モジュール１０１０および送信機モジュール１０２０は、図１２で説明されるトランシーバモジュール１２５０の例であり得る。
【００６１】
[0077]いくつかの例では、基地局先取りモジュール１０１５は、図２−６に関連して上述したように、ＵＥについての先取り基準を決定するように、および、現在スケジューリングされているリソース許可の先取りを示す制御信号をＵＥに送信するように構成され得る。
【００６２】
[0078]図１１は、本開示の様々な態様に係る、ワイヤレス通信において使用するための装置１００５−ａのブロック図１１００を示す。いくつかの例では、装置１００５−ａは、図１に関連して説明された基地局１０５のうちの１つまたは複数の態様の例、および／または、図１０に関連して説明された装置１００５の態様の例であり得る。いくつかの例では、装置１００５−ａは、ｅＣＣを送信するように構成されたＬＴＥ／ＬＴＥ−Ａ ｅＮＢおよび／またはＬＴＥ／ＬＴＥ−Ａ 基地局の一部であり得るかまたはそれを含み得る。装置１００５−ａはまた、プロセッサであり得る。装置１００５−ａは、受信機モジュール１０１０−ａ、基地局先取りモジュール１０１５−ａ、および／または送信機モジュール１０２０−ａを含み得る。これらのモジュールの各々は、互いに通信状態にあり得る。受信機モジュール１０１０−ａおよび送信機モジュール１０２０−ａは、図１２で説明されるトランシーバモジュール１２５０の例であり得る。
【００６３】
[0079]装置１００５−ａの構成要素は、個々にまたは集合的に、ハードウェアにおいて適用可能な機能のうちのいくつかまたはすべてを実行するように適合された１つまたは複数のＡＳＩＣを使用して実現され得る。代替的に、これら機能は、１つまたは複数の集積回路上の１つまたは複数の他の処理ユニット（または、コア）によって実行され得る。たとえば、装置１００５−ａの構成要素は、図１２で説明される基地局プロセッサモジュール１２１０を含み得る。他の例では、他のタイプの集積回路（たとえば、ストラクチャード／プラットフォームＡＳＩＣ、ＦＰＧＡ、および他のセミカスタムＩＣ）が使用され得、それらは、当技術分野において知られている任意の方法でプログラムされ得る。各構成要素の機能はまた、全体的にあるいは部分的に、メモリにおいて具現化される命令で実現され、１つまたは複数の汎用または専用プロセッサによって実行されるようにフォーマットされ得る。
【００６４】
[0080]いくつかの例では、受信機モジュール１０１０−ａは、図１０に関連して説明された受信機モジュール１０１０の１つまたは複数の態様の例であり得る。いくつかの例では、受信機モジュール１０１０−ａは、ｅＣＣのアップリンクシンボルにおいて送信されたアップリンク送信およびデータを受信するように動作可能な少なくとも１つの無線周波数（ＲＦ）受信機のような少なくとも１つのＲＦ受信機を含み得る。受信機モジュール１０１０−ａは、図１に関連して説明されたワイヤレス通信システム１００の１つまたは複数の通信リンクのような、ワイヤレス通信システムの１つまたは複数の通信リンクを通して様々なタイプのデータおよび／または制御信号（すなわち、送信）を受信するために使用され得る。
【００６５】
[0081]いくつかの例では、送信機モジュール１０２０−ａは、図１０に関連して説明された送信機モジュール１０２０の１つまたは複数の態様の例であり得る。いくつかの例では、送信機モジュール１０２０−ａは、アップリンクおよびダウンリンクリソースの許可、スケジューリングされている許可の先取りについての制御信号、および他の制御情報（たとえば、ＲＲＣ、ＳＩＢ，またはＰＤＣＣＨシグナリング、等）を送信するように動作可能な少なくとも１つのＲＦ送信機のような少なくとも１つのＲＦ送信機を含み得る。送信機モジュール１０２０−ａは、図１に関連して説明されたワイヤレス通信システム１００の１つまたは複数の通信リンクのような、ワイヤレス通信システムの１つまたは複数の通信リンクを通して様々なタイプのデータおよび／または制御信号（すなわち、送信）を送信するために使用され得る。
【００６６】
[0082]基地局先取りモジュール１０１５−ａは、許可決定モジュール１１０５、先取り決定モジュール１１１０、およびシグナリングモジュール１１１５を含み得る。受信機モジュール１０１０−ａおよび送信機モジュール１０２０−ａは、それぞれ、図１０の受信機モジュール１０１０および送信機モジュール１０２０の機能を実行し得る。
【００６７】
[0083]許可決定モジュール１１０５は、図２−６に関連して上述したように、送信されることとなるデータと、送信されることとなるデータの遅延センシティビティとに少なくとも部分的に基づいて、特定のＵＥに対するダウンリンクまたはアップリンク許可を決定し得る。先取り決定モジュール１１１０は、図２−６に関連して上述したのと同様の方法で、１つまたは複数のＵＥに関して先取り基準を決定し得、この先取り基準に少なくとも部分的に基づいて、現在スケジューリングされている許可が先取りされることとなると決定し得る。シグナリングモジュール１１１５は、図２−６に関連して上述したのと同様の方法で、許可決定モジュール１１０５および先取り決定モジュール１１１０の各々から情報を受信し、適切なシグナリングをＵＥに送信し得る。
【００６８】
[0084]図１２は、本開示の様々な態様に係る、ワイヤレス通信で使用するための基地局１０５−ａ（たとえば、ｅＮＢの一部またはすべてを形成する基地局）のブロック図１２００を示す。いくつかの例では、基地局１０５−ａは、図１に関連して説明された基地局１０５のうちの１つまたは複数の態様、および／または、図１０および／または１１に関連して説明されたような、基地局として構成されるときの装置１００５のうちの１つまたは複数の態様の例であり得る。基地局１０５−ａは、図２−６に関連して説明された基地局および／または装置の特徴および機能のうちの少なくともいくつかを実現または容易にするように構成され得る。
【００６９】
[0085]基地局１０５−ａは、基地局プロセッサモジュール１２１０、基地局メモリモジュール１２２０、（基地局トランシーバモジュール１２５０で表されている）少なくとも１つの基地局トランシーバモジュール、（基地局アンテナ１２５５で表されている）少なくとも１つの基地局アンテナ、および／または基地局先取りモジュール１０１５−ｂを含み得る。基地局１０５−ａはまた、基地局通信モジュール１２３０および／またはネットワーク通信モジュール１２４０のうちの１つまたは複数を含み得る。これらのモジュールの各々は、１つまたは複数のバス１２３５を通して、直接的または間接的に、互いに通信状態にあり得る。
【００７０】
[0086]基地局メモリモジュール１２２０は、ランダムアクセスメモリ（ＲＡＭ）および／または読取専用メモリ（ＲＯＭ）を含み得る。基地局メモリモジュール１２２０は、実行されると、ワイヤレス通信に関して本明細書で説明された様々な機能（たとえば、アップリンクおよびダウンリンク許可情報、可変ＴＴＩ長決定、アップリンクおよびダウンリンク許可の決定およびシグナリング、先取り情報、現在スケジューリングされている許可を先取りするための制御信号を送信するかどうかの決定、等）を実行することを基地局プロセッサモジュール１２１０に行わせるように構成された命令を含むコンピュータ読み取り可能でコンピュータ実行可能なソフトウェア／ファームウェアコード１２２５を格納し得る。代替的に、コンピュータ読み取り可能でコンピュータ実行可能なソフトウェア／ファームウェアコード１２２５は、基地局プロセッサモジュール１２１０によって直接的に実行可能でない場合があるが、（たとえば、コンパイルおよび実行されたとき）本明細書で説明された様々な機能を実行することを基地局１２０５に行わせるように構成され得る。
【００７１】
[0087]基地局プロセッサモジュール１２１０は、インテリジェントハードウェアデバイス、たとえば、中央処理装置（ＣＰＵ）、マイクロコントローラ、ＡＳＩＣ、等を含み得る。基地局プロセッサモジュール１２１０は、基地局トランシーバモジュール１２５０、基地局通信モジュール１２３０、および／またはネットワーク通信モジュール１２４０を通して受信された情報を処理し得る。基地局プロセッサモジュール１２１０はまた、アンテナ１２５５を通した送信のためにトランシーバモジュール１２５０に、１つまたは複数の他の基地局１０５−ｂおよび１０５−ｃへの送信のために基地局通信モジュール１２３０に、および／またはコアネットワーク１２４５への送信のためにネットワーク通信モジュール１２４０に送られることとなる情報を処理し得、これは、図１に関連して説明されたコアネットワーク１３０のうちの１つまたは複数の態様の例であり得る。基地局プロセッサモジュール１２１０は、単独でまたは基地局先取りモジュール１０１５−ｂに関連して、本明細書で説明される可変長ＴＴＩ管理および先取り管理の様々な態様を処理し得る。
【００７２】
[0088]基地局トランシーバモジュール１２５０は、パケットを変調し、変調されたパケットを送信のために基地局アンテナ１２５５に提供するように、および、基地局アンテナ１２５５から受信されたパケットを復調するように構成されたモデムを含み得る。基地局トランシーバモジュール１２５０は、いくつかの例では、１つまたは複数の基地局送信機モジュールおよび１つまたは複数の別個の基地局受信機モジュールとして実現され得る。基地局トランシーバモジュール１２５０は、第１の無線周波数スペクトル帯域および／または第２の無線周波数スペクトル帯域における通信をサポートし得る。基地局トランシーバモジュール１２５０は、アンテナ１２５５を介して、図１および／または９に関連して説明されたＵＥ１１５のうちの１つまたは複数のような１つまたは複数のＵＥまたは装置と双方向に通信するように構成され得る。基地局１０５−ａは、たとえば、複数の基地局アンテナ１２５５（たとえば、アンテナアレイ）を含み得る。基地局１０５−ａは、ネットワーク通信モジュール１２４０を通してコアネットワーク１２４５と通信し得る。基地局１０５−ａはまた、基地局通信モジュール１２３０を使用して、基地局１０５−ｂおよび１０５−ｃのような他の基地局と通信し得る。基地局トランシーバモジュール１２５０は、図２−６に関連して説明された様々なシグナリングおよびメッセージを送信または受信し得る。
【００７３】
[0089]基地局先取りモジュール１０１５−ｂは、可変長ＴＴＩおよび先取り管理に関して図２−６に関連して説明された特徴および／または機能のうちのいくつかまたはすべてを実行および／または制御するように構成され得る。基地局先取りモジュール１０１５−ｂ、またはモジュール１０１５−ｂの一部は、プロセッサを含み得、および／または、基地局先取りモジュール１０１５−ｂの機能のうちのいくつかまたはすべては、基地局プロセッサモジュール１２１０によっておよび／または基地局プロセッサモジュール１２１０に関連して実行され得る。いくつかの例では、基地局先取りモジュール１０１５−ｂは、図１０および／または１１に関連して説明された基地局先取りモジュール１０１５および／または１０１５−ａの例であり得る。
【００７４】
[0090]図１３は、基地局１０５−ｄおよびＵＥ１１５−ｂを含む多入力／多出力（ＭＩＭＯ）通信システム１３００のブロック図である。ＭＩＭＯ通信システム１３００は、図１に示されるワイヤレス通信システム１００の態様を例示し得る。基地局１０５−ｄは、アンテナ１３３４−ａ〜１３３４−ｘが備え付けられており、ＵＥ１１５−ｂは、アンテナ１３５２−ａ〜１３５２−ｎが備え付けられている。ＭＩＭＯ通信システム１３００では、基地局１０５−ｄは、複数の通信リンクを通して同時にデータを送ることができ得る。各通信リンクは、「レイヤ」と呼ばれ得、通信リンクの「ランク」は、通信に使用されるレイヤの数を示し得る。たとえば、基地局１０５−ｄが２つの「レイヤ」を送信する２×２ＭＩＭＯ通信システムは、基地局１０５−ｄとＵＥ１１５−ｂとの間の通信リンクのランクは２である。
【００７５】
[0091]基地局１０５−ｄにおいて、送信プロセッサ１３２０は、データソースからデータを受信し得る。送信プロセッサ１３２０は、データを処理し得る。送信プロセッサ１３２０はまた、制御シンボルおよび／または基準シンボルを生成し得、ここで、シンボルは、１つまたは複数のＯＦＤＭシンボルであり得る。送信（ＴＸ）ＭＩＭＯプロセッサ１３３０は、適用可能な場合、データシンボル、制御シンボル、および／または基準シンボルに対して空間処理（たとえば、プリコーディング）を実行し得、送信機変調器／受信機復調器１３３２−ａ〜１３３２−ｘに出力シンボルストリームを提供し得る。各送信機変調器／受信機復調器１３３２は、（たとえば、ＯＦＤＭ、等のために）それぞれの出力シンボルストリームを処理して、出力サンプルストリームを取得し得る。各送信機変調器／受信機復調器１３３２は、この出力サンプルストリームをさらに処理（たとえば、アナログ変換、増幅、フィルタリング、およびアップコンバート）して、ＤＬ信号を取得し得る。一例では、送信変調器／受信機変調機１３３２−ａ〜１３３２−ｘからのＤＬ信号は、それぞれ、アンテナ１３３４−ａ〜１３３４−ｘを介して送信され得る。
【００７６】
[0092]ＵＥ１１５−ｂにおいて、ＵＥのアンテナ１３５２−ａ〜１３５２−ｎは、基地局１０５−ｄからＤＬ信号を受信し得、それぞれ復調器１３５４−ａ〜１３５４−ｎに、受信された信号を提供し得る。各復調器１３５４は、それぞれの受信信号を調整（たとえば、フィルタリング、増幅、ダウンコンバート、およびデジタル化）して、入力サンプルを取得し得る。各復調器１３５４は、（たとえば、ＯＦＤＭ、等のために）これら入力サンプルをさらに処理して、受信シンボルを取得し得る。ＭＩＭＯ検出器１３５６は、すべての復調器１３５４−ａ〜１３５４−ｎからの受信シンボルを取得し得、適用可能であれば、受信されたシンボルに対してＭＩＭＯ検出を実行し、検出されたシンボルを提供する。受信プロセッサ１３５８は、検出されたシンボルを処理（たとえば、復調、デインタリーブ、復号）し得、データ出力にＵＥ１１５−ｂのための復号されたデータを提供し、プロセッサ１３８０またはメモリ１３８２に、復号された制御情報を提供し得る。
【００７７】
[0093]プロセッサ１３８０は、いくつかのケースでは、ＵＥ先取りモジュール７１５−ｃの１つまたは複数を例示化するために、格納されている命令を実行し得る。ＵＥ先取りモジュール７１５−ｃは、図７、８、および／または９に関連して説明されたＵＥ先取りモジュール７１５の態様の例であり得る。
【００７８】
[0094]アップリンク（ＵＬ）上で、ＵＥ１１５−ｂにおいて、送信プロセッサ１３６４は、データソースからのデータを受信および処理し得る。送信プロセッサ１３６４はまた、基準信号のための基準シンボルを生成し得る。送信プロセッサ１３６４からのシンボルは、適用可能な場合、送信ＭＩＭＯプロセッサ１３６６によってプリコーディングされ得、（たとえば、ＳＣ−ＦＤＭＡ、等のために）復調器１３５４−ａ〜１３５４−ｎによってさらに処理され、基地局１０５−ｄから受信された送信パラメータにしたがって基地局１０５−ｄに送信され得る。基地局１０５−ｄにおいて、ＵＥ１１５−ｂからのＵＬ信号が、アンテナ１３３４によって受信され、送信機変調器／受信機復調器１３３２によって処理され、適用可能な場合にはＭＩＭＯ検出器１３３６によって検出され、受信プロセッサ１３３８によってさらに処理され得る。受信プロセッサ１３３８は、復号されたデータをデータ出力およびプロセッサ１３４０および／またはメモリ１３４２に提供し得る。プロセッサ１３４０は、いくつかのケースでは、基地局先取りモジュール１０１５−ｃの１つまたは複数を例示化するために、格納されている命令を実行し得る。基地局先取りモジュール１０１５−ｃは、図１０、１１、および／または１２に関連して説明された基地局先取りモジュール１０１５の態様の例であり得る。
【００７９】
[0095]ＵＥ１１５−ｂの構成要素は、個々にまたは集合的に、ハードウェアにおいて適用可能な機能のうちのいくつかまたはすべてを実行するように適合された１つまたは複数のＡＳＩＣを使用して実現され得る。示されるモジュールの各々は、ＭＩＭＯ通信システム１３００の動作に関する１つまたは複数の機能を実行するための手段であり得る。同様に、基地局１０５−ｃの構成要素は、個々にまたは集合的に、ハードウェアにおいて適用可能な機能のうちのいくつかまたはすべてを実行するように適合された１つまたは複数のＡＳＩＣを使用して実現され得る。示される構成要素の各々は、ＭＩＭＯ通信システム１３００の動作に関する１つまたは複数の機能を実行するための手段であり得る。
【００８０】
[0096]図１４は、本開示の様々な態様に係る、ワイヤレス通信のための方法１４００の例を例示するフローチャートである。明確さのために、方法１４００は、図１、９、および／または１３に関連して説明されたＵＥ１１５のうちの１つまたは複数の態様、および／または、図７および／または８に関連して説明されたデバイス７０５のうちの１つまたは複数の態様に関連して以下に説明される。いくつかの例では、ＵＥは、以下に説明される機能を実行するためのＵＥの機能要素（functional element）を制御するために、コードの１つまたは複数のセットを実行し得る。追加的にまたは代替的に、ＵＥは、専用ハードウェアを使用して以下に説明される機能のうちの１つまたは複数を実行し得る。
【００８１】
[0097]ブロック１４０５において、方法１４００は、可変長ダウンリンク送信時間インターバール（ＴＴＩ）において１つまたは複数のシンボルのリソースを割り当てるダウンリンク許可を受信することを含み得る。ブロック１４０５における動作は、図７−９および／または１３に関連して説明されたＵＥ先取りモジュール７１５を使用して実行され得る。受信することは、たとえば、図９に関連して説明されたトランシーバモジュール９３５によって実行され得る。
【００８２】
[0098]ブロック１４１０において、方法１４００はまた、ダウンリンク許可によって割り当てられたリソースの一部が先取りされることとなることを示す制御信号のために、ダウンリンク許可における１つまたは複数のシンボルをモニタすることを含み得る。ブロック１４１０における動作は、図７−９および／または１３に関連して説明されたＵＥ先取りモジュール７１５を使用して実行され得る。
【００８３】
[0099]ブロック１４１５において、方法１４００は、制御信号に少なくとも部分的に基づいてダウンリンク許可によって割り当てられたリソースの少なくとも一部をキャンセルするかどうかを決定することを含み得る。ブロック１４１５における動作は、図７−９および／または１３に関連して説明されたＵＥ先取りモジュール７１５を使用して実行され得る。
【００８４】
[0100]ゆえに、方法１４００は、ワイヤレス通信を提供し得る。方法１４００がほんの１つの実現にすぎないこと、および、方法１４００の動作が、他の実現が可能になるように再配置されるか他の方法で修正され得ることに留意されたい。
【００８５】
[0101]図１５は、本開示の様々な態様に係る、ワイヤレス通信のための方法１５００の例を例示するフローチャートである。明確さのために、方法１５００は、図１、９、および／または１３に関連して説明されたＵＥ１１５のうちの１つまたは複数の態様、および／または、図７および／または８に関連して説明されたデバイス７０５のうちの１つまたは複数の態様に関連して以下に説明される。いくつかの例では、ＵＥは、以下に説明される機能を実行するためのＵＥの機能要素を制御するために、コードの１つまたは複数のセットを実行し得る。追加的にまたは代替的に、ＵＥは、専用ハードウェアを使用して以下に説明される機能のうちの１つまたは複数を実行し得る。
【００８６】
[0102]ブロック１５０５において、方法１５００は、図２−６に関連して上述したように、可変長ダウンリンク送信時間インターバール（ＴＴＩ）において１つまたは複数のシンボルのリソースを割り当てるダウンリンク許可をＵＥが受信したと決定することを含み得る。ブロック１５０５における動作は、図７−９および／または１３に関連して説明されたＵＥ先取りモジュール７１５を使用して実行され得る。
【００８７】
[0103]ブロック１５１０において、方法１５００はまた、シンボルのうちの１つまたは複数が、ダウンリンク許可の一部が先取りされることとなることを示す制御信号のためにモニタされることとなると決定することを含み得る。ブロック１５１０における動作は、図７−９および／または１３に関連して説明されたＵＥ先取りモジュール７１５を使用して実行され得る。
【００８８】
[0104]ブロック１５１５において、方法１５００は、１つまたは複数のシンボルのうちの１つまたは複数がモニタされることとなると決定することに少なくとも部分的に基づいて、制御信号のためにモニタすることを含み得る。制御信号は、第２のＵＥへのダウンリンク送信に対する第２のダウンリンク許可を含み得る。いくつかのケースでは、第２のＵＥへのダウンリンク送信は、ダウンリンク許可によって第１のＵＥに割り当てられたリソースに関連付けられたダウンリンクデータよりも遅延センシティブである。いくつかの例では、制御信号は、後続のシンボルに対するアップリンク許可を含む。制御信号は、いくつかの例では、いくつかの（たとえば、複数の）ＵＥによって復号される共通の信号を含み得る。シンボルのうちの１つまたは複数をモニタすることは、ダウンリンク許可によって割り当てられたリソースを有する１つまたは複数のシンボルを有する１つまたは複数の所定のシンボルをモニタすることを含み得る。所定のシンボルは、ダウンリンク許可においてまたはＲＲＣシグナリングを介して指定され得る。ブロック１５１５における動作は、図７−９および／または１３に関連して説明されたＵＥ先取りモジュール７１５を使用して実行され得る。
【００８９】
[0105]いくつかの例では、方法１５００はまた、ダウンリンク許可によって割り当てられたリソースの少なくとも一部をキャンセルすることを含み得る。いくつかのケースでは、リソースをキャンセルするかどうかを決定することは、制御信号が、可変長ダウンリンクＴＴＩの最後のシンボルから閾値数のシンボル内のシンボルにおいて受信されると決定することと、たとえば、可変長ＴＴＩの任意の残りのシンボルを受信し続けることでダウンリンク許可によって割り当てられた、リソースを維持すること、または、リソースを利用し続けることとを含む。
【００９０】
[0106]いくつかのケースでは、方法１５００はまた、制御信号に少なくとも部分的に基づいてダウンリンク許可によって割り当てられたリソースの少なくとも一部をキャンセルすることを含み得る。方法１５００はまた、制御信号に関連付けられた第２のダウンリンク送信の持続時間を決定することと、たとえば、決定された持続時間中、ダウンリンク送信のモニタリングを一時停止することとを含み得る。方法１５００はまた、決定された持続時間に続いてダウンリンク送信をモニタし続けることを含み得る。
【００９１】
[0107]ゆえに、方法１５００は、ワイヤレス通信を提供し得る。方法１５００がほんの１つの実現にすぎないこと、および、方法１５００の動作が、他の実現が可能になるように再配置されるか他の方法で修正され得ることに留意されたい。
【００９２】
[0108]図１６は、本開示の様々な態様に係る、ワイヤレス通信のための方法１６００の例を例示するフローチャートである。明確さのために、方法１６００は、図１、１２および／または１３に関連して説明された基地局１０５のうちの１つまたは複数の態様、および／または、図１０および／または１１に関連して説明された装置（たとえば、デバイス）１００５のうちの１つまたは複数の態様に関連して以下に説明される。いくつかの例では、ＵＥは、以下に説明される機能を実行するための基地局の機能要素を制御するために、コードの１つまたは複数のセットを実行し得る。追加的にまたは代替的に、基地局は、専用ハードウェアを使用して以下に説明される機能のうちの１つまたは複数を実行し得る。
【００９３】
[0109]ブロック１６０５において、方法１６００は、第１のユーザ機器（ＵＥ）に可変長ダウンリンク送信時間インターバル（ＴＴＩ）において１つまたは複数のダウンリンクシンボルを割り当てるダウンリンク許可を送信することを含み得る。ブロック１６０５における動作は、図１０−１３に関連して説明された基地局先取りモジュール１０１５を使用して実行され得る。
【００９４】
[0110]ブロック１６１０において、方法１６００は、図２−６に関連し上述したように、１つまたは複数のダウンリンクシンボルを第１のＵＥに送信しつつデータが第２のＵＥに送信されることとなることを決定することを含み得る。ブロック１６１０における動作は、図１０−１３に関連して説明された基地局先取りモジュール１０１５を使用して実行され得る。
【００９５】
[0111]ブロック１６１５において、方法１６００は、ダウンリンク許可によって割り当てられたリソースの少なくとも一部の先取りを示すシグナリングをダウンリンクシンボルのうちの１つにおいて送信することを含み得る。ブロック１６１５における動作は、図１０−１３に関連して説明された基地局先取りモジュール１０１５を使用して実行され得る。ダウンリンクシンボルのうちの１つにおいてシグナリングを送信することは、たとえば、トランシーバモジュール１２５０によって実行され得る。
【００９６】
[0112]ブロック１６２０において、方法１６００は、１つまたは複数の追加のダウンリンクシンボルを第２のＵＥに送信することを含み得る。ブロック１６２０における動作は、図１０−１３に関連して説明された基地局先取りモジュール１０１５を使用して実行され得る。
【００９７】
[0113]ゆえに、方法１６００は、ワイヤレス通信を提供し得る。方法１６００がほんの１つの実現にすぎないこと、および、方法１６００の動作が、他の実現が可能になるように再配置されるか他の方法で修正され得ることに留意されたい。
【００９８】
[0114]いくつかの例では、方法１４００、１５００、または１６００のうちの２つ以上の態様が組み合され得る。方法１４００、１５００、１６００がほんの１つの実現にすぎないこと、および、方法１４００−１６００の動作が、他の実現が可能になるように再配置されるか他の方法で修正され得ることに留意されたい。
【００９９】
[0115]本明細書で説明される技法は、ＣＤＭＡ、ＴＤＭＡ、ＦＤＭＡ、ＯＦＤＭＡ、ＳＣ−ＦＤＭＡのような様々なワイヤレス通信システムおよび他のシステムに使用され得る。「システム」および「ネットワーク」という用語は、交換可能に使用されることが多い。ＣＤＭＡシステムは、ＣＤＭＡ２０００、ユニバーサル地上無線アクセス（ＵＴＲＡ）、等の無線技術を実現し得る。ＣＤＭＡ２０００は、ＩＳ−２０００、ＩＳ−９５、およびＩＳ−８５６規格をカバーする。ＩＳ−２０００リリース０およびＡは一般に、ＣＤＭＡ２０００ １Ｘ、１Ｘ、等と呼ばれる。ＩＳ−８５６（ＴＩＡ−８５６）は、一般に、ＣＤＭＡ２０００ １ｘＥＶ−ＤＯ、高速パケットデータ（ＨＲＰＤ）、等と呼ばれる。ＵＴＲＡは、広帯域ＣＤＭＡ（ＷＣＤＭＡ（登録商標））およびＣＤＭＡの他の変形を含む。ＴＤＭＡシステムは、モバイル通信のためのグローバルシステム（ＧＳＭ（登録商標））のような無線技術を実現し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（ＷｉＦｉ）、ＩＥＥＥ８０２．１６（ＷｉＭＡＸ）、ＩＥＥＥ８０２．２０、フラッシュＯＦＤＭ（登録商標）、等、の無線技術を実現し得る。ＵＴＲＡおよびＥ−ＵＴＲＡは、ＵＭＴＳ（Universal Mobile Telecommunication System）の一部である。３ＧＰＰロングタームエボリューション（ＬＴＥ）およびＬＴＥアドバンスド（ＬＴＥ−Ａ）は、Ｅ−ＵＴＲＡを使用するＵＭＴＳの新しいリリースである。ＵＴＲＡ、Ｅ―ＵＴＲＡ、ＵＭＴＳ、ＬＴＥ、ＬＴＥ−Ａ、およびＧＳＭは、「第３世代パートナーシッププロジェクト（３ＧＰＰ）」という名称の団体からの文書に記載されている。ＣＤＭＡ２０００およびＵＭＢは、「第３世代パートナーシッププロジェクト２（３ＧＰＰ２）」という名称の団体からの文書に記載されている。本明細書で説明された技法は、上述したシステムおよび無線技術に加え、未認可および／または共有帯域幅を通したセルラ（たとえば、ＬＴＥ）通信を含む他のシステムおよび無線技術に使用され得る。しかしながら、上の説明は、説明のためにＬＴＥ／ＬＴＥ−Ａシステムを説明しており、ＬＴＥ用語が上の説明の大部分において使用されているが、これらの技法はＬＴＥ／ＬＴＥ−Ａアプリケーションを超えて適用可能である。
【０１００】
[0116]添付された図面に関連して上に示された詳細な説明は、例を説明しており、実現され得るまたは特許請求の範囲の範囲内にある例を表すものではない。「例となる」および「例示的な」という用語は、本説明中で使用されるとき、「例、事例、または例示としての役割を果たす」ことを意味し、「好ましい」または「他の例よりも有利である」を意味しない。詳細な説明は、説明された技法の理解を提供することを目的として特定の詳細を含む。しかしながら、これらの技法は、これらの特定の詳細なしに実施され得る。いくつかの事例では、周知の構造および装置は、説明された例の概念を曖昧にしないためにブロック図形式で示される。
【０１０１】
[0117]情報および信号は、様々な異なる技術および技法のうちの任意のものを使用して表され得る。たとえば、上記説明の全体にわたって参照され得るデータ、命令、コマンド、情報、信号、ビット、シンボル、およびチップは、電圧、電流、電磁波、磁場もしくは磁性粒子、光場もしくは光粒子、またはこれらの任意の組み合わせで表され得る。
【０１０２】
[0118]本明細書での開示に関連して説明された様々な実例となるブロックおよび構成要素は、汎用プロセッサ、デジタルシグナルプロセッサ（ＤＳＰ）、ＡＳＩＣ、ＦＰＧＡまたは他のプログラマブル論理デバイス、ディスクリートゲートまたはトランジスタ論理、ディスクリートハードウェア構成要素、または本明細書で説明された機能を実行するように設計されたそれらの任意の組み合わせを用いて実現または実行され得る。汎用プロセッサは、マイクロプロセッサであり得るが、代替的に、プロセッサは、任意の従来のプロセッサ、コントローラ、マイクロコントローラ、またはステートマシンであり得る。プロセッサはまた、コンピューティングデバイスの組み合わせ、たとえば、ＤＳＰと、１つのマイクロプロセッサ、複数のマイクロプロセッサ、ＤＳＰコアに連結した１つまたは複数のマイクロプロセッサ、またはその他のそのような構成との組み合わせとして実現され得る。
【０１０３】
[0119]本明細書で説明された機能は、ハードウェア、プロセッサによって実行されるソフトウェア、ファームウェア、またはそれらの任意の組み合わせで実現され得る。プロセッサによって実行されるソフトウェアで実現される場合、これら機能は、コンピュータ読み取り可能媒体上で、１つまたは複数の命令またはコードとして格納または送信され得る。他の例および実現は、本開示および添付された特許請求の範囲の範囲および精神内にある。たとえば、ソフトウェアの性質に起因して、上述した機能は、プロセッサによって実行されるソフトウェア、ハードウェア、ファームウェア、配線、またはこれらの任意の組み合わせを使用して実現されることができる。機能を実現する特徴はまた、様々な位置に物理的に位置し得、これらの機能の一部が異なる物理的ロケーションで実現されるように分散されていることを含む。特許請求の範囲を含む本明細書で使用される場合、「および／または」という用語は、２つ以上の項目からなるリストで使用されるとき、リストされた項目のうちのいずれか１つが単独で用いられ得ること、または、リストされた項目のうちの２つ以上からなる任意の組み合わせが用いられ得ることを意味する。たとえば、ある構成が、構成要素Ａ、Ｂ、および／またはＣを含むものとして説明されている場合、この構成は、Ａだけ、Ｂだけ、Ｃだけ、ＡとＢの組み合わせ、ＡとＣの組み合わせ、ＢとＣの組み合わせ、またはＡとＢとＣの組み合わせを含み得る。また、特許請求の範囲を含む本明細書で使用される場合、複数の項目からなるリスト（たとえば、「〜のうちの少なくとも１つ」または「〜のうちの１つまたは複数」のような表現で始まる複数の項目からなるリスト）で使用される「または」は、たとえば、「Ａ、Ｂ、またはＣのうちの少なくとも１つ」のリストが、Ａ、Ｂ、Ｃ、ＡとＢ、ＡとＣ、ＢとＣ、ＡとＢとＣ（すなわち、Ａ、Ｂ、およびＣ）を意味するような、離接的な（disjunctive）リストを示す。
【０１０４】
[0120]コンピュータ読み取り可能媒体は、ある箇所から別の箇所へのコンピュータプログラムの移送を容易にする任意の媒体を含むコンピュータ通信媒体およびコンピュータ記憶媒体の両方を含む。記憶媒体は、汎用または専用コンピュータによってアクセスされることができる任意の入手可能な媒体であり得る。限定ではなく例として、コンピュータ読み取り可能媒体は、ＲＡＭ、ＲＯＭ、ＥＥＰＲＯＭ（登録商標）、フラッシュメモリ、ＣＤ−ＲＯＭもしくは他の光ディスク記憶装置、磁気ディスク記憶装置もしくは他の磁気記憶デバイス、または、命令もしくはデータ構造の形式で所望のプログラムコード手段を搬送または格納するために使用されることができ、かつ、汎用もしくは専用コンピュータまたは汎用もしくは専用プロセッサによってアクセスされることができる任意の他の媒体を備え得る。また、任意の接続は厳密にはコンピュータ読み取り可能媒体と称され得る。たとえば、ソフトウェアが、同軸ケーブル、光ファイバーケーブル、ツイストペア、デジタル加入者回線（ＤＳＬ）、または赤外線、電波、およびマイクロ波のようなワイヤレス技術を使用して、ウェブサイト、サーバ、または他のリモートソースから送信される場合、これら同軸ケーブル、光ファイバーケーブル、ツイストペア、ＤＳＬ、または赤外線、電波、およびマイクロ波のようなワイヤレス技術は、媒体の定義に含まれる。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク、およびブルーレイディスクを含み、ディスク（disk）は、通常磁気的にデータを再生し、ディスク（disc）は、レーザーを用いて光学的にデータを再生する。上記の組み合わせもまた、コンピュータ読み取り可能媒体の範囲内に含まれる。
【０１０５】
[0121]本開示の先の説明は、当業者が本開示を実施または使用することを可能にするために提供される。本開示に対する様々な修正は、当業者には容易に明らかであり、本明細書で定義された包括的な原理は、本開示の範囲から逸脱することなく他の変形に適用され得る。ゆえに、本開示は、本明細書で説明された例および設計に制限されるべきでなく、本明細書で開示された原理および新規な特徴に合致する最も広い範囲が与えられるべきである。
以下に、本願出願の当初の特許請求の範囲に記載された発明を付記する。
［Ｃ１］
基地局と通信状態にある第１のユーザ機器（ＵＥ）によるワイヤレス通信のための方法であって、
可変長ダウンリンク送信時間インターバール（ＴＴＩ）において１つまたは複数のシンボルのリソースを割り当てるダウンリンク許可を受信することと、
前記ダウンリンク許可によって割り当てられた前記リソースの一部が先取りされることとなることを示す制御信号のために、前記１つまたは複数のシンボルのうちの１つまたは複数をモニタすることと、
前記制御信号に少なくとも部分的に基づいて、前記ダウンリンク許可によって割り当てられた前記リソースの少なくとも前記一部をキャンセルするかどうかを決定することと
を備える、方法。
［Ｃ２］
前記決定することに基づいて、前記ダウンリンク許可によって割り当てられた前記リソースの少なくとも前記一部をキャンセルすることをさらに備える、
［Ｃ１］に記載の方法。
［Ｃ３］
前記決定することは、
前記制御信号が、前記可変長ダウンリンクＴＴＩの最後のシンボルから閾値数のシンボル内のシンボルにおいて受信されると決定することと、
前記可変長ダウンリンクＴＴＩの任意の残りのシンボルを受信し続けることで前記ダウンリンク許可によって割り当てられた前記リソースを維持することと
を備える、［Ｃ１］に記載の方法。
［Ｃ４］
前記制御信号は、第２のＵＥへのダウンリンク送信に対する第２のダウンリンク許可を備える、
［Ｃ１］に記載の方法。
［Ｃ５］
前記第２のＵＥへの前記ダウンリンク送信は、前記ダウンリンク許可によって前記第１のＵＥに割り当てられた前記リソースに関連付けられたダウンリンクデータよりも遅延センシティブである、
［Ｃ４］に記載の方法。
［Ｃ６］
前記制御信号は、後続のシンボルに対するアップリンク許可を備える、
［Ｃ１］に記載の方法。
［Ｃ７］
前記制御信号は、複数のＵＥによって復号される共通信号を備える、
［Ｃ１］に記載の方法。
［Ｃ８］
前記複数のＵＥは、無線リソース制御（ＲＲＣ）シグナリングを介して前記制御信号のためにモニタするように構成される、
［Ｃ７］に記載の方法。
［Ｃ９］
前記１つまたは複数のシンボルのうちの１つまたは複数を前記モニタすることは、
前記１つまたは複数のシンボル内の１つまたは複数の所定のシンボルをモニタすることを備える、
［Ｃ１］に記載の方法。
［Ｃ１０］
前記所定のシンボルは、前記ダウンリンク許可のうちの１つまたは複数において、または、無線リソース制御（ＲＲＣ）シグナリングを介して、指定される、
［Ｃ９］に記載の方法。
［Ｃ１１］
前記制御信号に少なくとも部分的に基づいて前記ダウンリンク許可によって割り当てられた前記リソースの少なくとも前記一部をキャンセルすることと、
前記制御信号に関連付けられた第２のダウンリンク送信の持続時間を決定することと、
前記決定された持続時間中、ダウンリンク送信のモニタリングを一時停止することと、
前記決定された持続時間に続いてダウンリンク送信のモニタリングを継続することと
をさらに備える、［Ｃ１］に記載の方法。
［Ｃ１２］
基地局と通信状態にある第１のユーザ機器（ＵＥ）によるワイヤレス通信のための装置であって、
可変長ダウンリンク送信時間インターバール（ＴＴＩ）において１つまたは複数のシンボルのリソースを割り当てるダウンリンク許可を受信するための手段と、
前記ダウンリンク許可の一部が先取りされることとなることを示す制御信号のために、前記割り当てられたリソースを有する前記１つまたは複数のシンボルのうちの１つまたは複数をモニタするための手段と、
前記制御信号に少なくとも部分的に基づいて、前記ダウンリンク許可によって割り当てられた前記リソースの少なくとも前記一部をキャンセルするかどうかを決定するための手段と
を備える、装置。
［Ｃ１３］
前記決定することに基づいて、前記ダウンリンク許可によって割り当てられた前記リソースの少なくとも前記一部をキャンセルするための手段
をさらに備える、［Ｃ１２］に記載の装置。
［Ｃ１４］
前記決定するための手段は、前記制御信号が、前記可変長ダウンリンクＴＴＩの最後のシンボルから閾値数のシンボル内のシンボルにおいて受信されると決定するように、および、前記可変長ダウンリンクＴＴＩの任意の残りのシンボルを受信し続けることで前記ダウンリンク許可によって割り当てられた前記リソースを維持するように動作可能である、
［Ｃ１２］に記載の装置。
［Ｃ１５］
前記制御信号は、第２のＵＥへのダウンリンク送信に対する第２のダウンリンク許可を備える、
［Ｃ１２］に記載の装置。
［Ｃ１６］
前記第２のＵＥへの前記ダウンリンク送信は、前記ダウンリンク許可によって前記第１のＵＥに割り当てられた前記リソースに関連付けられたダウンリンクデータよりも遅延センシティブである、
［Ｃ１５］に記載の装置。
［Ｃ１７］
前記制御信号は、後続のシンボルに対するアップリンク許可を備える、
［Ｃ１２］に記載の装置。
［Ｃ１８］
前記制御信号は、複数のＵＥによって復号される共通信号を備える、
［Ｃ１２］に記載の装置。
［Ｃ１９］
前記複数のＵＥは、無線リソース制御（ＲＲＣ）シグナリングを介して前記制御信号のためにモニタするように構成される、
［Ｃ１８］に記載の装置。
［Ｃ２０］
前記１つまたは複数のシンボルのうちの１つまたは複数を前記モニタするための手段は、前記１つまたは複数のシンボル内の１つまたは複数の所定のシンボルをモニタするように動作可能である、
［Ｃ１２］に記載の装置。
［Ｃ２１］
前記所定のシンボルは、前記ダウンリンク許可のうちの１つまたは複数において、または、無線リソース制御（ＲＲＣ）シグナリングを介して、指定される、
［Ｃ２０］に記載の装置。
［Ｃ２２］
前記制御信号に少なくとも部分的に基づいて前記ダウンリンク許可によって割り当てられた前記リソースの少なくとも前記一部をキャンセルするための手段と、
前記制御信号に関連付けられた第２のダウンリンク送信の持続時間を決定するための手段と、
前記決定された持続時間中、ダウンリンク送信のモニタを一時停止するための手段と、
前記決定された持続時間に続いてダウンリンク送信のモニタを継続するための手段と
をさらに備える、［Ｃ１２］に記載の装置。
［Ｃ２３］
ワイヤレス通信のための装置であって、
プロセッサと、
前記プロセッサと電子通信状態にあるメモリと、
前記メモリに格納されている命令と
を備え、前記命令は、
可変長ダウンリンク送信時間インターバール（ＴＴＩ）において１つまたは複数のシンボルのリソースを割り当てるダウンリンク許可を受信することと、
前記ダウンリンク許可の一部が先取りされることとなることを示す制御信号のために、前記割り当てられたリソースを有する前記１つまたは複数のシンボルのうちの１つまたは複数をモニタすることと、
前記制御信号に少なくとも部分的に基づいて、前記ダウンリンク許可によって割り当てられた前記リソースの少なくとも前記一部をキャンセルするかどうかを決定することと
を前記装置に行わせるように前記プロセッサによって実行可能である、装置。
［Ｃ２４］
前記命令は、
前記決定することに基づいて、前記ダウンリンク許可によって割り当てられた前記リソースの少なくとも前記一部をキャンセルすること
を前記装置に行わせるように前記プロセッサによって実行可能である、［Ｃ２３］に記載の装置。
［Ｃ２５］
前記命令は、
前記制御信号が、前記可変長ダウンリンクＴＴＩの最後のシンボルから閾値数のシンボル内のシンボルにおいて受信されると決定することと、
前記可変長ダウンリンクＴＴＩの任意の残りのシンボルを受信し続けることで前記ダウンリンク許可によって割り当てられた前記リソースを維持することと
を前記装置に行わせるように前記プロセッサによって実行可能である、［Ｃ２３］に記載の装置。
［Ｃ２６］
前記制御信号は、第２のＵＥへのダウンリンク送信に対する第２のダウンリンク許可を備える、
［Ｃ２３］に記載の装置。
［Ｃ２７］
前記第２のＵＥへの前記ダウンリンク送信は、前記ダウンリンク許可によって前記第１のＵＥに割り当てられた前記リソースに関連付けられたダウンリンクデータよりも遅延センシティブである、
［Ｃ２３］に記載の装置。
［Ｃ２８］
前記命令は、
前記ダウンリンク許可によって割り当てられた前記リソースにおいて前記１つまたは複数のシンボル内の１つまたは複数の所定のシンボルをモニタすることを備える、前記１つまたは複数のシンボルのうちの１つまたは複数をモニタすること
を前記装置に行わせるように前記プロセッサによって実行可能である、［Ｃ２３］に記載の装置。
［Ｃ２９］
前記命令は、
前記制御信号に少なくとも部分的に基づいて前記ダウンリンク許可によって割り当てられた前記リソースの少なくとも前記一部をキャンセルすることと、
前記制御信号に関連付けられた第２のダウンリンク送信の持続時間を決定することと、
前記決定された持続時間中、ダウンリンク送信のモニタを一時停止することと、
前記決定された持続時間に続いてダウンリンク送信のモニタを継続することと
を前記装置に行わせるように前記プロセッサによって実行可能である、［Ｃ２３］に記載の装置。
［Ｃ３０］
ワイヤレス通信のためのコンピュータ実行可能コードを格納している非一時的なコンピュータ読み取り可能媒体であって、前記コードは、
可変長ダウンリンク送信時間インターバール（ＴＴＩ）において１つまたは複数のシンボルを備えるダウンリンク許可を受信することと、
前記ダウンリンク許可の一部が先取りされることとなることを示す制御信号のために、前記ダウンリンク許可における前記１つまたは複数のシンボルのうちの１つまたは複数をモニタすることと、
前記制御信号に少なくとも部分的に基づいて、前記ダウンリンク許可の少なくとも前記一部をキャンセルするかどうかを決定することと
を行うようにプロセッサによって実行可能である、非一時的なコンピュータ読み取り可能媒体。
【図１】
2020053983.tif 000002
【図２】
2020053983.tif 000003
【図３】
2020053983.tif 000004
【図４】
2020053983.tif 000005
【図５】
2020053983.tif 000006
【図６】
2020053983.tif 000007
【図７】
2020053983.tif 000008
【図８】
2020053983.tif 000009
【図９】
2020053983.tif 000010
【図１０】
2020053983.tif 000011
【図１１】
2020053983.tif 000012
【図１２】
2020053983.tif 000013
【図１３】
2020053983.tif 000014
【図１４】
2020053983.tif 000015
【図１５】
2020053983.tif 000016
【図１６】
2020053983.tif 000017
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
ダウンリンク許可によって割り当てられたリソースの先取りを示す制御信号のための制御チャネルをモニタする構成を受信すること、ここにおいて、前記構成は、モニタするリソースのインジケーションと、前記ＵＥが前記制御信号のための前記制御チャネルをモニタする周期性とを備える、と、
前記ＵＥへの送信のためにリソースを割り当てるダウンリンク許可を受信することと、
前記構成に基づいて前記制御信号のための前記制御チャネルをモニタすることと、
前記制御信号に少なくとも部分的に基づいて、前記ダウンリンク許可によって割り当てられた前記リソースの少なくとも一部が先取りされたと決定することと、
先取りされた前記リソースの前記一部を処理することを避けることを含む、前記決定することに基づいて、前記ダウンリンク許可によって割り当てられた前記リソースを処理することと
を備える、方法。
【請求項２】
前記ダウンリンク許可は、複数のシンボル上でリソースを割り当て、
前記制御信号は、前記複数のシンボルのサブセットの先取りを示す、
請求項１に記載の方法。
【請求項３】
前記ＵＥは、無線リソース制御（ＲＲＣ）シグナリングを介して前記制御信号を前記モニタすることを実行するように構成される、
請求項１に記載の方法。
【請求項４】
前記制御信号は、前記ＵＥを含む複数のＵＥによって復号可能な共通信号を備える、
請求項１に記載の方法。
【請求項５】
前記処理することは、先取りされた前記ダウンリンク許可によって以前に割り当てられた前記リソースの前記一部を復号するかどうかを決定することを備える、
請求項１に記載の方法。
【請求項６】
前記制御信号に関連付けられた少なくとも１つのダウンリンク送信の持続時間を決定することと、
前記決定された持続時間中、ダウンリンク送信のモニタリングを一時停止することと、
前記決定された持続時間に続いてダウンリンク送信のモニタリングを継続することと
をさらに備える、請求項１に記載の方法。
【請求項７】
前記ダウンリンク許可によって前に割り当てられた前記リソースの前記一部上での前記ＵＥへの前記送信は、別のＵＥへの送信より遅延センシティブでない、
請求項１に記載の方法。
【請求項８】
前記構成に基づいて前記ダウンリンク許可に続く１つまたは複数の所定のシンボルをモニタすることをさらに備える、
請求項１に記載の方法。
【請求項９】
前記１つまたは複数の所定のシンボルは、無線リソース制御（ＲＲＣ）シグナリングを介して指定される、
請求項８に記載の方法。
【請求項１０】
ユーザ機器（ＵＥ）であって、
ダウンリンク許可によって割り当てられたリソースの先取りを示す制御信号のための制御チャネルをモニタする構成を受信するための手段、ここにおいて、前記構成は、モニタするリソースのインジケーションと、前記ＵＥが前記制御信号のための前記制御チャネルをモニタする周期性とを備える、と、
前記ＵＥへの送信のためにリソースを割り当てるダウンリンク許可を受信するための手段と、
前記構成に基づいて前記制御信号のための前記制御チャネルをモニタするための手段と、
前記モニタすることに少なくとも部分的に基づいて、前記ダウンリンク許可によって割り当てられた前記リソースの少なくとも一部が先取りされたと決定するための手段と、
先取りされた前記リソースの前記一部を処理することを避けることを含む、前記決定することに基づいて、前記ダウンリンク許可によって割り当てられた前記リソースを処理するための手段と
を備える、ユーザ機器。
【請求項１１】
前記ダウンリンク許可は、複数のシンボル上でリソースを割り当て、
前記制御信号は、前記複数のシンボルのサブセットの先取りを示す、
請求項１０に記載のユーザ機器。
【請求項１２】
前記構成は、無線リソース制御（ＲＲＣ）シグナリングを介して受信される、
請求項１０に記載のユーザ機器。
【請求項１３】
前記制御信号は、前記ＵＥを含む複数のＵＥによって復号可能な共通信号を備える、
請求項１０に記載のユーザ機器。
【請求項１４】
前記処理するための手段は、先取りされると示された前記ダウンリンク許可によって以前に割り当てられた前記リソースの前記一部を復号するかどうかを決定するように構成される、
請求項１０に記載のユーザ機器。
【請求項１５】
前記制御信号に関連付けられた少なくとも１つのダウンリンク送信の持続時間を決定するための手段と、
前記決定された持続時間中、ダウンリンク送信のモニタリングを一時停止するための手段と、
前記決定された持続時間に続いてダウンリンク送信のモニタリングを継続するための手段と
をさらに備える請求項１０に記載のユーザ機器。
【請求項１６】
ユーザ機器（ＵＥ）であって、
プロセッサと、
前記プロセッサと電子通信状態にあるメモリと、
前記メモリに格納されている命令と
を備え、前記命令は、
ダウンリンク許可によって割り当てられたリソースの先取りを示す制御信号のための制御チャネルをモニタする構成を受信すること、ここにおいて、前記構成は、モニタするリソースのインジケーションと、前記ＵＥが前記制御信号のための前記制御チャネルをモニタする周期性とを備える、と、
前記ＵＥへの送信のためにリソースを割り当てるダウンリンク許可を受信することと、
前記構成に基づいて前記制御信号のための前記制御チャネルをモニタすることと、
前記制御信号に基づいて、前記ダウンリンク許可によって割り当てられた前記リソースの少なくとも一部が先取りされたと決定することと、
先取りされた前記リソースの前記一部を処理することを避けることを含む、前記決定することに基づいて、前記ダウンリンク許可によって割り当てられた前記リソースを処理することと
を前記ＵＥに行わせるように前記プロセッサによって実行可能である、ユーザ機器。
【請求項１７】
前記ダウンリンク許可は、複数のシンボル上でリソースを割り当て、
前記制御信号は、前記複数のシンボルのサブセットの先取りを示す、
請求項１６に記載のユーザ機器。
【請求項１８】
前記ＵＥは、無線リソース制御（ＲＲＣ）シグナリングを介して前記制御信号を前記モニタすることを実行するように構成される、
請求項１６に記載のユーザ機器。
【請求項１９】
前記制御信号は、前記ＵＥを含む複数のＵＥによって復号可能な共通信号を備える、
請求項１６に記載のユーザ機器。
【請求項２０】
前記命令は、
以前に割り当てられた前記リソースの前記一部を復号するかどうかを決定することによって前記リソースの前記一部を処理するかどうかを決定することを前記ＵＥに行わせるように前記プロセッサによって実行可能である、
請求項１６に記載のユーザ機器。
【請求項２１】
前記命令は、
前記制御信号に関連付けられた少なくとも１つのダウンリンク送信の持続時間を決定することと、
前記決定された持続時間中、ダウンリンク送信のモニタリングを一時停止することと、
前記決定された持続時間に続いてダウンリンク送信のモニタリングを継続することと
を前記ＵＥに行わせるように前記プロセッサによって実行可能である、請求項１６に記載のユーザ機器。
【請求項２２】
前記ダウンリンク許可によって前に割り当てられた前記リソースの前記一部上での前記ＵＥへの前記送信は、別のＵＥへの送信より遅延センシティブでない、
請求項１６に記載のユーザ機器。
【請求項２３】
前記命令は、前記構成に基づいて前記ダウンリンク許可に続く１つまたは複数の所定のシンボルをモニタすることを前記ＵＥに行わせるように前記プロセッサによって実行可能である、
請求項１６に記載のユーザ機器。
【請求項２４】
前記１つまたは複数の所定のシンボルは、無線リソース制御（ＲＲＣ）シグナリングを介して指定される、
請求項２３に記載のユーザ機器。
【請求項２５】
ユーザ機器（ＵＥ）によるワイヤレス通信のためのコンピュータ実行可能コードを格納している非一時的なコンピュータ読み取り可能媒体であって、前記コードは、
ダウンリンク許可によって割り当てられたリソースの先取りを示す制御信号のための制御チャネルをモニタする構成を受信すること、ここにおいて、前記構成は、モニタするリソースのインジケーションと、前記ＵＥが前記制御信号のための前記制御チャネルをモニタする周期性とを備える、と、
前記ＵＥへの送信のためにリソースを割り当てるダウンリンク許可を受信することと、
前記構成に基づいて前記制御信号のための前記制御チャネルをモニタすることと、
前記制御信号に基づいて、前記ダウンリンク許可によって割り当てられた前記リソースの少なくとも一部が先取りされたと決定することと、
先取りされた前記リソースの前記一部を処理することを避けることを含む、前記決定することに基づいて、前記ダウンリンク許可によって割り当てられた前記リソースを処理することと
を行うようにプロセッサによって実行可能である、非一時的なコンピュータ読み取り可能媒体。